(57)【要約】  ディスプレイ、スピーカ、ブルートゥース通信を行う通信部、１以上のインストラクションを保存するメモリ、及び１以上のインストラクションのうち少なくとも一つを遂行するプロセッサを少なくとも一つ含む制御部を含むディスプレイ装置であり、ここで、該ディスプレイ装置がパワーオフ状態であるとき、外部機器からオーディオ伝送のためのブルートゥース連結要請が受信されれば、該通信部は、外部機器に、ブルートゥース連結要請の受諾を知らせる応答を伝送し、制御部がブルートゥース連結が必要な状態にウェークアップされるように動作するディスプレイ装置である。
2021536079.tif 000002
【特許請求の範囲】
【請求項１】
ディスプレイ装置において、
ディスプレイと、
スピーカと、
無線通信を行う通信回路を含む通信部と、
１以上のインストラクションを保存するメモリと、
前記１以上のインストラクションのうち少なくとも一つを遂行するプロセッサを少なくとも一つ含む制御部と、を含み、
前記通信部は、
前記ディスプレイ装置がパワーオフ状態である間、外部機器から受信されるオーディオ伝送のための無線連結要請に基づき、
前記外部機器に、前記無線連結要請の受諾を知らせる応答を伝送し、前記制御部が無線連結が必要な状態にウェークアップされるように動作することを特徴とするディスプレイ装置。
【請求項２】
前記通信部は、
前記ディスプレイ装置と前記外部機器との無線連結を行っていた履歴が存在すれば、前記外部機器に、前記応答を伝送することを特徴とする請求項１に記載のディスプレイ装置。
【請求項３】
前記通信部は、
前記無線連結要請の受信に基づき、前記ディスプレイ装置がバックグラウンドパワーオンになるように動作し、前記バックグラウンドパワーオンに対応する理由を前記制御部に伝送することを特徴とする請求項１に記載のディスプレイ装置。
【請求項４】
前記無線通信は、ブルートゥース通信であり、
前記無線連結要請は、ブルートゥース連結要請であることを特徴とする請求項３に記載のディスプレイ装置。
【請求項５】
前記制御部は、
前記外部機器とブルートゥース接続するための連結情報を獲得し、前記理由及び前記連結情報に基づき、前記外部機器とのブルートゥース連結を行うことを特徴とする請求項４に記載のディスプレイ装置。
【請求項６】
前記連結情報は、
前記外部機器のブルートゥースＭＡＣアドレスを含むことを特徴とする請求項５に記載のディスプレイ装置。
【請求項７】
前記通信部は、
前記ブルートゥース連結要請の受信に基づき、前記ディスプレイ装置がバックグラウンドパワーオンになるように動作し、
前記制御部は、
前記バックグラウンドパワーオンの動作遂行に応答して、前記バックグラウンドパワーオンに対応する理由に基づき、サウンドミラーリングのためのブルートゥース連結を行うことを特徴とする請求項４に記載のディスプレイ装置。
【請求項８】
前記無線通信は、ブルートゥース通信であり、
前記無線連結要請は、ブルートゥース連結要請であり、
前記通信部は、ブルートゥース通信回路を含むブルートゥース通信部を含み、
前記ブルートゥース通信部は、
ブルートゥース信号を送受信し、前記ディスプレイ装置とブルートゥース連結されていたことがある機器に係わるブルートゥース連結情報である第１情報を保存するブルートゥースモジュールと、
前記ディスプレイ装置がパワーオンになっていることに基づいて動作し、前記第１情報を保存するブルートゥースプロセッサよ、を含むことを特徴とする請求項１に記載のディスプレイ装置。
【請求項９】
前記ブルートゥースモジュールは、
前記ディスプレイ装置がパワーオフ状態である間、前記ブルートゥース連結要請の受信に応答し、前記外部機器のブルートゥース連結情報が、前記第１情報に対応することに基づき、前記応答が前記外部機器に伝送されるように制御することを特徴とする請求項８に記載のディスプレイ装置。
【請求項１０】
前記ブルートゥースモジュールは、
前記外部機器のブルートゥース連結情報が、前記第１情報に対応することに基づき、前記制御部をウェークアップさせ、
前記制御部は、
前記ブルートゥースモジュールによってウェークアップされ、前記ディスプレイ装置がバックグラウンドパワーオンになるように制御することを特徴とする請求項８に記載のディスプレイ装置。
【請求項１１】
前記ブルートゥースモジュールは、
ＬＰＭ（low power mode）モードにおいて、ブルートゥース連結と係わる動作を遂行し、
前記ブルートゥースプロセッサは、
ＨＣＩ（host controller interface）モードにおいて、ブルートゥース連結と係わる動作を遂行することを特徴とする請求項８に記載のディスプレイ装置。
【請求項１２】
前記ブルートゥースモジュールは、
前記第１情報が、前記外部機器のブルートゥース連結情報に対応することに基づき、前記制御部をウェークアップさせ、ＬＰＭモードで遂行されていた前記外部機器とのブルートゥース通信を連結解除し、
前記ブルートゥースプロセッサは、
ＨＣＩモードにおいて、前記外部機器とのブルートゥース通信を連結するための動作を遂行することを特徴とする請求項８に記載のディスプレイ装置。
【請求項１３】
前記制御部は、
前記外部機器に、前記ブルートゥース通信が連結解除された後、再連結するための動作が遂行されることを知らせる情報を、前記外部機器に伝送することを特徴とする請求項１２に記載のディスプレイ装置。
【請求項１４】
前記制御部は、
前記ブルートゥースモジュールによってウェークアップされ、前記ディスプレイ装置がバックグラウンドパワーオンになるように制御し、
前記外部機器とのブルートゥース連結を完了し、自動的にサウンドミラーリングサービスが実行されるように制御することを特徴とする請求項８に記載のディスプレイ装置。
【請求項１５】
ディスプレイ、スピーカ、無線通信を行う通信回路を含む通信部、１以上のインストラクションを保存するメモリ、及び前記１以上のインストラクションのうち少なくとも一つを遂行するプロセッサを少なくとも一つ含む制御部を含むディスプレイ装置を制御する方法において、
前記ディスプレイ装置がパワーオフ状態である間、前記通信部において、外部機器からオーディオ伝送のための無線連結要請を受信する段階と、
前記無線連結要請に対応し、前記通信部が前記外部機器に、前記無線連結要請の受諾を知らせる応答を伝送する段階と、
前記無線連結要請に対応し、前記通信部が、前記制御部が無線連結が必要な状態にウェークアップされるように制御する段階と、を含むことを特徴とするディスプレイ装置の制御方法。
【発明の詳細な説明】
【技術分野】
【０００１】
本発明は、ディスプレイ装置の制御方法、及びそれによるディスプレイ装置に係り、具体的には、無線連結を介して外部機器と通信を行うディスプレイ装置の制御方法、及びそれによるディスプレイ装置に関し、ここで、該無線連結は、ブルートゥース（登録商標、以下同様）連結にもなる。
【０００２】
具体的には、本発明は、無線連結を介して外部機器とサウンドミラーリングを行うことができるディスプレイ装置の制御方法、及びそれによるディスプレイ装置に関する。
【背景技術】
【０００３】
モバイル機器のような電子機器が広く利用されながら、複数個の電子機器が、無線通信ネットワークを介して互いに連結され、連結された複数個の電子機器が互いに連動されて利用される技術が開発されている。ここで、該複数個の電子機器は、ユーザが携帯可能な電子機器である携帯用機器、家電製品などを含むことになる。
【０００４】
ここで、該無線通信ネットワークは、近距離内において無線通信を行うことができるブルートゥース通信規格による通信ネットワークにもなる。例えば、ブルートゥースネットワークを介してモバイル機器と連結される電子機器は、モバイル機器とデータを送受信することができる。ここで、該電子機器は、ディスプレイ装置にもなるのである。
【０００５】
具体的には、該ディスプレイ装置は、外部機器であるモバイル機器と、ブルートゥースネットワークを介して連結され、ミラーリング（mirroring）技術を介するデータ送受信を行うことができる。ここで、該ミラーリングは、音響信号を共有するためのサウンドミラーリング（sound mirroring）、画面を共有するためのスクリーンミラーリング（screen mirroring）などを含んでもよい。
【０００６】
該ディスプレイ装置は、ユーザの多様な欲求（例えば、特定サービスを提供されようとする欲求など）を反映させるように、多様な機能及び／またはサービスを提供することができる形態に開発されている。そのようなユーザの欲求のうち一つあり、いずれか１つの機器（例えば、ユーザのモバイル機器）と、ディスプレイ装置とのサウンドミラーリングを行わせようとする欲求が存在しうる。具体的には、ユーザは、ブルートゥーススピーカと、ブルートゥーススピーカに音源を提供するソース機器（例えば、モバイルフォン）とをブルートゥース連結し、該ブルートゥーススピーカを介し、ソース機器で再生される音源を聞くことを所望しもする。例えば、ユーザが、所定電子機器（例えば、モバイルフォン）よりさらに高い音響再生品質を有する機器であるディスプレイ装置を介し、サウンドミラーリングサービスを利用しようとする欲求を有することにもなる。
【０００７】
そのような場合、前述のユーザの欲求に符合するように、さらに便利であって迅速にサウンドミラーリング動作を遂行することができるディスプレイ装置を開発して提供する必要がある。
【発明の概要】
【発明が解決しようとする課題】
【０００８】
例示された実施形態は、無線ネットワーク（例：ブルートゥースネットワーク）を介して連結される外部機器と、サウンドミラーリングを行うことができるディスプレイ装置の制御方法、及びそれによるディスプレイ装置の提供を目的とする。
【０００９】
具体的には、例示された実施形態は、ディスプレイ装置がパワーオフ（power off）になった状態でも、ディスプレイ装置と外部機器との、オーディオ伝送のための無線連結を行わせる、ディスプレイ装置の制御方法、及びそれによるディスプレイ装置の提供を目的とする。
【課題を解決するための手段】
【００１０】
例示された実施形態によるディスプレイ装置は、ディスプレイと、スピーカと、無線通信を行う通信回路を含む通信部と、１以上のインストラクションを保存するメモリと、前記１以上のインストラクションのうち少なくとも一つを遂行するプロセッサを少なくとも一つ含む制御部と、を含む。ここで、前記通信部は、前記ディスプレイ装置がパワーオフ状態である間、外部機器から受信されるオーディオ伝送のための無線連結要請に基づき、前記外部機器に前記無線連結要請の受諾を知らせる応答を伝送し、前記制御部が無線連結が必要な状態にウェークアップされるように動作する。前述の実施形態によれば、例示された実施形態によるディスプレイ装置は、ディスプレイ装置がパワーオフ状態であるときにも、外部機器から受信される無線連結要請を無視せず、無線連結のための動作を遂行することができることになる。ここで、該無線通信は、ブルートゥース通信にもなり、無線連結要請は、ブルートゥース連結要請にもなる。
【００１１】
また、前記通信部は、前記ディスプレイ装置と前記外部機器との無線連結を行っていた履歴が存在すれば、前記外部機器に前記応答を伝送することができる。前述の実施形態によれば、例示された実施形態によるディスプレイ装置は、以前に存在していた履歴に基づいてブルートゥース連結を行う。それにより、該ディスプレイ装置は、以前にペアリングされていた外部機器と、迅速であって便利にブルートゥース連結を行うことができる。
【００１２】
また、前記通信部は、前記ブルートゥース連結要請が受信されれば、前記ディスプレイ装置がバックグラウンドパワーオン（background power on）になるように動作し、前記バックグラウンドパワーオンに対応する理由（reason）を前記制御部に伝送することができる。また、前記制御部は、前記外部機器とブルートゥース接続するための連結情報を獲得し、前記理由及び前記接続情報に基づき、前記外部機器とのブルートゥース連結を行うことができる。
【００１３】
また、前記連結情報は、前記外部機器のブルートゥースＭＡＣアドレス（ＢＴ ＭＡＣ address：Bluetooth medium access control address）を含んでもよい。
【００１４】
また、前記通信部は、前記ブルートゥース連結要請が受信されれば、前記ディスプレイ装置がバックグラウンドパワーオンになるように動作することができる。そして、前記制御部は、前記バックグラウンドパワーオンが遂行されれば、前記バックグラウンドパワーオンに対応する理由に基づき、サウンドミラーリング（sound mirroring）のためのブルートゥース連結を行うことができる。前述の実施形態によれば、例示された実施形態によるディスプレイ装置は、バックグラウンドパワーオンになった後、ブルートゥース連結を行うことにより、ブルートゥース連結以前までは、スクリーンオフ状態を維持することができる。それにより、ブルートゥース連結が完了し、サウンドミラーリングが開始される以前には、スクリーンオフ状態を維持することにより、画面ディスプレイのための電力消耗を最小化させることができる。
【００１５】
また、前記通信部は、ブルートゥース通信部を含んでもよい。ここで、前記ブルートゥース通信部は、ブルートゥース信号を送受信し、前記ディスプレイ装置とブルートゥース連結されていたことがある機器に係わるブルートゥース連結情報である第１情報を保存するブルートゥースモジュールと、前記ディスプレイ装置がパワーオン（power on）になっているときに動作し、前記第１情報を保存するブルートゥースプロセッサを含んでもよい。
【００１６】
また、前記ブルートゥースモジュールは、前記ディスプレイ装置がパワーオフ状態であるとき、前記ブルートゥース連結要請が受信されれば、前記外部機器のブルートゥース連結情報が、前記第１情報に対応する場合、前記応答が前記外部機器に伝送されるように制御することができる。
【００１７】
また、前記ブルートゥースモジュールは、前記外部機器のブルートゥース連結情報が、前記第１情報に対応する場合、前記制御部をウェークアップさせることができる。また、前記制御部は、前記ブルートゥースモジュールによってウェークアップされ、前記ディスプレイ装置がバックグラウンドパワーオンになるように制御することができる。前述の実施形態によれば、例示された実施形態によるディスプレイ装置は、ブルートゥースモジュールが、以前に適法に（legally）ブルートゥース連結を完了していた外部機器を確認し、それにより、制御部をウェークアップさせることにより、ＬＰＭ（low power mode）モードにおいても、外部機器から受信されるブルートゥース連結要請に対応する動作を遂行することができることになる。
【００１８】
また、前記ブルートゥースモジュールは、ＬＰＭモードにおいて、ブルートゥース連結と係わる動作を遂行し、前記ブルートゥースプロセッサは、ＨＣＩ（host controller interface）モードにおいて、ブルートゥース連結と係わる動作を遂行することができる。
【００１９】
また、前記ブルートゥースモジュールは、前記第１情報が、前記外部機器のブルートゥース連結情報に対応すれば、前記制御部をウェークアップさせ、ＬＰＭモードで遂行されていた前記外部機器とのブルートゥース通信を連結解除（disconnect）することができる。また、前記ブルートゥースプロセッサは、ＨＣＩモードにおいて、前記外部機器とのブルートゥース通信を連結（connect）するための動作を遂行することができる。
【００２０】
また、前記制御部は、前記外部機器に、前記ブルートゥース通信が連結解除された後、再連結（reconnect）するための動作が遂行されることを知らせる情報を伝送することができる。前述の実施形態によれば、例示された実施形態によるディスプレイ装置は、再連結動作が遂行されることを知らせる情報を外部機器に伝送する。それにより、該外部機器は、一時的にブルートゥース連結が切れるようになることをブルートゥース連結におけるエラー発生と認識しないのである。
【００２１】
また、前記オーディオ伝送のためのブルートゥース連結要請は、ブルートゥース通信を介するサウンドミラーリングに対する連結要請にもなる。
【００２２】
また、前記制御部は、前記ブルートゥースモジュールによってウェークアップされ、前記ディスプレイ装置がバックグラウンドパワーオンになるように制御し、前記外部機器とのブルートゥース連結を完了し、自動的にサウンドミラーリングサービスが実行されるように制御することができる。
【００２３】
例示された実施形態において、前記オーディオ伝送は、サウンドミラーリングのためのオーディオ伝送であり、前記外部機器は、前記サウンドミラーリングのためのソース機器として動作し、前記ディスプレイ装置は、前記サウンドミラーリングのためのシンク機器として動作することができる。前述の実施形態によれば、例示された実施形態によるディスプレイ装置は、パワーオフ状態にあっても、外部機器から遂行されるブルートゥース連結要請に対応する動作を遂行し、続けてサウンドミラーリングを行うことができる。
【００２４】
例示された実施形態によるディスプレイ装置の制御方法は、ディスプレイ、スピーカ、無線通信を行う通信回路を含む通信部、１以上のインストラクションを保存するメモリ、及び前記１以上のインストラクションのうち少なくとも一つを遂行するプロセッサを少なくとも一つ含む制御部を含むディスプレイ装置を制御する方法において、前記ディスプレイ装置がパワーオフ状態である間、前記通信部において、外部機器からオーディオ伝送のための無線連結要請を受信する段階と、前記無線連結要請に対応し、前記通信部が前記外部機器に、前記ブルートゥース連結要請の受諾を知らせる応答を伝送する段階と、前記無線連結要請に対応し、前記通信部が、前記制御部が無線連結が必要な状態にウェークアップされるように制御する段階と、を含む。前述の実施形態によれば、例示された実施形態によるディスプレイ装置の制御方法は、ディスプレイ装置がパワーオフ状態であるときにも、外部機器から受信される無線連結要請を無視せず、無線連結のための動作を遂行することができる。具体的には、前記無線通信は、ブルートゥース通信にもなり、前記無線連結要請は、ブルートゥース連結要請にもなる。
【００２５】
また、前記応答を伝送する段階は、前記ディスプレイ装置と前記外部機器とのブルートゥース連結を行っていた履歴が存在すれば、前記通信部が前記外部機器に、前記応答を伝送する段階を含む。前述の実施形態によれば、例示された実施形態によるディスプレイ装置の制御方法は、以前に存在していた履歴に基づいて無線連結を行う。それにより、該ディスプレイ装置は、以前にペアリングされていた外部機器と、迅速であって便利に無線連結を行うことができる。
【００２６】
また、例示された実施形態によるディスプレイ装置の制御方法は、前記無線連結要請が受信されれば、前記ディスプレイ装置がバックグラウンドパワーオンになる段階と、前記バックグラウンドパワーオンに対応する理由、及び前記外部機器と無線接続するための連結情報を獲得する段階と、前記理由及び前記接続情報に基づき、前記制御部において、前記外部機器との無線連結を行う段階と、をさらに含んでもよい。
【００２７】
また、例示された実施形態によるディスプレイ装置の制御方法は、前記ディスプレイ装置の前記制御部において、前記外部機器との無線連結を完了する段階と、前記無線連結を介し、自動的にサウンドミラーリングサービスを行う段階と、をさらに含んでもよい。
【発明の効果】
【００２８】
例示された実施形態によるディスプレイ装置の制御方法、及びそれによるディスプレイ装置は、ディスプレイ装置を介し、サウンドミラーリングサービスを利用しようとするユーザの欲求を充足し、サウンドミラーリングサービスを利用するための操作便利性を増大させることができる。
【００２９】
具体的には、例示された実施形態によるディスプレイ装置の制御方法、及びそれによるディスプレイ装置は、ディスプレイ装置がパワーオフ（power off）になった状態においても、ディスプレイ装置と外部機器との、オーディオ伝送のための無線連結を行うことができる。それにより、該ディスプレイ装置を介し、該ディスプレイ装置の状態と係わりなく、サウンドミラーリングサービスを利用しようとするユーザの欲求を迅速に充足させることができる。
【図面の簡単な説明】
【００３０】
【図１】ディスプレイ装置と外部機器とのサウンドミラーリングについて説明するための図面である。
【図２Ａ】サウンドミラーリングが行われるとき、ディスプレイ装置が出力する画面の例が図示される図面である。
【図２Ｂ】サウンドミラーリングが行われるとき、ディスプレイ装置が出力する画面の例が図示される図面である。
【図３】一般的なディスプレイ装置において、ディスプレイ装置がパワーオフになった状態において、サウンドミラーリング遂行のために必要な動作について説明するための一図面である。
【図４】例示された実施形態によるディスプレイ装置を示すブロック図である。
【図５】例示された実施形態によるディスプレイ装置において、ディスプレイ装置がパワーオフになった状態において、サウンドミラーリング遂行のために必要な動作について説明するための一図面である。
【図６】例示された実施形態によるディスプレイ装置をさらに詳細に示すブロック図である。
【図７】本開示の他の実施形態によるディスプレイ装置を示すブロック図である。
【図８】例示された実施形態で遂行されるブルートゥース連結動作について説明するための図面である。
【図９】ディスプレイ装置において、内部において生成されて伝送されるパルス信号を示す図面である。
【図１０】例示された実施形態で遂行されるブルートゥース連結動作についてさらに詳細に説明するための図面である。
【図１１】ディスプレイ装置と外部機器とのブルートゥース連結動作が遂行される間、外部機器に出力されうるユーザインターフェース画面を示す図面である。
【図１２】本開示の一実施形態によるディスプレイ装置の制御方法を示すフローチャートである。
【図１３】本開示の他の実施形態によるディスプレイ装置の制御方法を示すフローチャートである。
【発明を実施するための形態】
【００３１】
以下においては、添付図面を参照し、本発明が属する技術分野において当業者が容易に実施することができるように、本発明の実施形態について詳細に説明する。しかし、本発明は、さまざまに異なる形態にも具現され、ここで説明する実施形態に限定されるものではない。そして、図面において、本発明について明確に説明するために、説明と係わりのない部分は、省略し、明細書全体を通じ、類似した部分については、類似した図面符号を付した。
【００３２】
明細書全体において、ある部分が他の部分と「連結」されているとするとき、それは、「直接連結」されている場合だけではなく、その中間に他の素子を挟み、「電気的に連結」されている場合も含む。また、ある部分がある構成要素を「含む」とするとき、それは、特別に反対になる記載がない限り、他の構成要素を除くものではなく、他の構成要素をさらに含んでもよいということを意味する。
【００３３】
本明細書において、多様なところに出てくる「一部実施形態において」または「一実施形態において」というような語句は、必ずしもどちらも同一実施形態を示すものではない。
【００３４】
一部実施形態は、機能的なブロック構成、及び多様な処理段階によっても示される。そのような機能ブロックの一部または全部は、特定機能を遂行する多様な個数のハードウェア構成及び／またはソフトウェア構成によっても具現される。例えば、本開示の機能ブロックは、１以上のプロセッサまたはマイクロプロセッサによって具現されるか、あるいは所定機能のための回路構成によっても具現される。また、例えば、本開示の機能ブロックは、多様なプログラミング言語またはスクリプティング言語によっても具現される。該機能ブロックは、１以上のプロセッサで実行されるアルゴリズムによっても具現される。また、本開示は、電子的な環境設定、信号処理、及び／またはデータ処理などのために、従来技術を採用することができる。モジュール及び構成のような用語は、汎用され、機械的であって物理的な構成として限定されるものではない。
【００３５】
また、図面に図示された構成要素間の連結線または連結部材は、機能的な連結、及び／または物理的または回路的な連結を例示的に示したものに過ぎない。実際の装置においては、代替可能であったり、追加されたりする多様な機能的な連結、物理的な連結、または回路的な連結により、構成要素間の連結が示されうる。
【００３６】
また、「ＡとＢとのうち少なくとも一つ」という記載は、「ＡまたはＢ」または「Ａ及びＢ」を意味する。
【００３７】
以下、添付図面を参照し、本開示について詳細に説明する。
【００３８】
例示された実施形態によるディスプレイ装置は、所定コンテンツを視覚的に出力する全ての外部機器を含んでもよい。具体的には、例示された実施形態によるディスプレイ装置は、少なくとも１つのコンテンツを選択的にディスプレイすることができる全ての外部機器であり、ＴＶ（television）、デジタル放送用端末機、タブレットＰＣ（personal computer）、モバイルフォン、コンピュータ、ノート型パソコンのように、多様な形態で存在しうる。また、該ディスプレイ装置は、固定型だけではなく、移動可能でもあったり、ユーザが携帯可能であったりする形態を有することができるのである。
【００３９】
そして、例示された実施形態において、該ディスプレイ装置は、外部機器と、無線ネットワークを介してデータを送受信することができ、外部機器が伝送するオーディオ信号を受信し、受信されたオーディオ信号を出力することができる。また、例示された実施形態において、該ディスプレイ装置と該外部機器とを連結する無線ネットワークは、ブルートゥース（Bluetooth）通信規格によるブルートゥースネットワーク（Bluetooth network）にもなる。
【００４０】
図１は、ディスプレイ装置と外部機器とのサウンドミラーリング（sound mirroring）について説明するための図面である。
【００４１】
図１を参照すれば、ディスプレイ装置１００は、外部機器１５０と、ブルートゥースネットワーク１３０を介しても連結され、連結されたブルートゥースネットワーク１３０を介し、所定データを送受信することができる。以下においては、便宜上、「ブルートゥースネットワークを介する通信連結」を「ブルートゥース連結」と称する。
【００４２】
図１においては、外部機器１５０がモバイルフォンである場合を例として挙げて図示した。
【００４３】
図１を参照すれば、ディスプレイ装置１００は、外部機器１５０と、無線ネットワークを介して相互連動され、ミラーリングサービス（mirroring service）を提供することができる。ここで、ミラーリングは、複数の電子機器において、一端において再生中であるデータを、他の一端に伝送させ、シンク機器（sink device）において、伝送されたデータが再生されるようにする技術を意味し、該ミラーリングサービスは、そのようなミラーリング技術によって提供されるサービスを意味しうる。
【００４４】
ここで、データを提供する機器をソース機器（source device）またはマスター機器（master device）とも称し、データを提供される機器をシンク機器またはクライアント機器とも称する。以下においては、データを提供する機器をソース機器と称し、データを提供される機器をシンク機器と称する。
【００４５】
例えば、ディスプレイ装置１００は、外部機器１５０と、無線ネットワークを介して相互連動され、音響信号を伝送して出力するサウンドミラーリングサービスを提供することができる。
【００４６】
該ミラーリングサービスを提供するために、データを提供する機器であるソース機器は、データを提供される機器であるシンク機器に所定データを伝送する。そのようなデータ伝送を介し、サウンドミラーリングサービスは、無線ネットワークに連結された多数個の電子機器間において、同一音源を共有して再生する。
【００４７】
図１を参照すれば、外部機器１５０は、サウンドミラーリングサービスを提供するためのプロセッサ、プログラムまたはアプリケーションを介して音源を再生し、再生される音源に対応するオーディオデータを、ブルートゥースネットワーク１３０を介してディスプレイ装置１００で伝送することができる。その場合、外部機器１５０は、音源の再生メニュー１６０を含むユーザインターフェース画面（ＵＩ（user interface） screen）１５１を出力することができる。また、ディスプレイ装置１００は、外部機器１５０でミラーリングされる音源の再生に対応するＵＩ（user interface）画面１１０を出力することができる。
【００４８】
そのような場合、ディスプレイ装置１００は、外部機器１５０と連結されるブルートゥーススピーカ（ＢＴ speaker）として動作することができる。図１においては、外部機器１５０が、ユーザのモバイルフォンまたはスマートフォンである場合を例として挙げて図示している。
【００４９】
例えば、サウンドミラーリングサービスは、電子機器間のブルートゥース通信標準に含まれるブルートゥースＡ２ＤＰ（advanced audio distribution profile）により、電子機器を検索して連結して遂行されうる。
【００５０】
例示された実施形態において、ディスプレイ装置１００は、シンク機器及びソース機器のうち少なくとも一つとして動作することができる。例えば、例示された実施形態において、ディスプレイ装置１００は、シンク機器として動作するシンクモード（sink mode）、及びソース機器として動作するソースモード（source mode）をいずれも支援することができる。例えば、ディスプレイ装置１００が外部のスピーカ（図示せず）と連結される場合、ディスプレイ装置１００は、Ａ２ＤＰソースモードで動作する。他の例として、ディスプレイ装置１００が、例えば、モバイルフォン１５０と連結される場合、ディスプレイ装置１００は、Ａ２ＤＰシンクモードで動作する。例えば、例示された実施形態において、ディスプレイ装置１００は、Ａ２ＤＰシンクモード及びＡ２ＤＰソースモードのうちいずれか一つで動作することができ、連結される外部機器の種類により、適するモードで動作することができる。
【００５１】
例えば、外部機器１５０であるモバイルフォンは、ブルートゥースＡ２ＤＰにより、ディスプレイ装置１００を検索して連結され、ディスプレイ装置１００をブルートゥーススピーカのように利用することができる。その場合、ディスプレイ装置１００は、Ａ２ＤＰシンクとして動作し、外部機器１５０は、Ａ２ＤＰソースとして動作することになる。
【００５２】
以下においては、例示された実施形態によるディスプレイ装置が、オーディオデータを受信するシンク機器として動作し、外部機器１５０がデータを送信するソース機器として動作する場合を例として挙げ、説明する。
【００５３】
図２Ａ及び図２Ｂは、サウンドミラーリングが行われるとき、ディスプレイ装置が出力する画面の例が図示される。
【００５４】
サウンドミラーリングが行われる間、ディスプレイ装置１００は、ミラーリングされる音源の再生に対応するＵＩ画面を出力することができる。
【００５５】
図２Ａを参照すれば、ミラーリングされる音源の再生を示すメニュー２２０が画面２１０全体にディスプレイされもする。例えば、ミラーリングされる音源の再生を示すＵＩ画面自体が背景画面にも形成される。
【００５６】
図２Ｂを参照すれば、ミラーリングされる音源の再生を示すメニュー２６０は、画面２５０の上端一部領域にもディスプレイされる。例えば、ミラーリングされる音源の再生を示すＵＩ画面２６０が、全体画面２５０の一部領域に配置されるミニプレイヤＵＩ（mini player user interface）としても形成される。
【００５７】
前述のように、サウンドミラーリングが行われる間、ディスプレイ装置１００は、外部機器１５０から受信される音源再生に対応するＵＩ画面を、ディスプレイを介して出力することができる。
【００５８】
図３は、一般的なディスプレイ装置において、ディスプレイ装置がパワーオフ（power off）になった状態において、サウンドミラーリング遂行のために必要な動作について説明するための一図面である。一般的なディスプレイ装置として、ＴＶ（television）を例として挙げることができる。従って、図３においては、ディスプレイ装置がＴＶである場合を例として挙げて図示した。そして、ディスプレイ装置３００と、ブルートゥースのような無線ネットワークを介して連結可能な外部機器として、モバイルフォン３５０を例として挙げて図示した。
【００５９】
モバイルフォン３５０からＴＶ ３００に、ブルートゥース連結を介し、サウンドミラーリングサービスを利用してするとき、従来のＴＶ ３００がオンになっている場合にのみ、モバイルフォン３５０とのブルートゥース連結が可能である。例えば、ＴＶ ３００がパワーオフになっている場合には、モバイルフォンを操作し、ＴＶ ３００と、ブルートゥース連結動作を遂行することができなくなる。ＴＶ ３００がパワーオフ状態にある場合、ＴＶ ３００は、いかなる画面も出力しない「スクリーンオフ（screen off）」状態になる。例えば、ＴＶ ３００がパワーオフ状態にあれば、ディスプレイ画面は、ブラック画面（black screen）にもなる。
【００６０】
従来のＴＶ ３００は、パワーオフ状態にあれば、外部機器であるモバイルフォン３５０から、オーディオ伝送（例えば、サウンドミラーリング）のためのブルートゥース連結を要請するブルートゥース信号を受信しても、それを反映させ、いかなる動作も遂行することができなかった。例えば、ＴＶ ３００がパワーオフ状態にあれば、モバイルフォンからＴＶ ３００に、ブルートゥース連結を要請しても、それによるブルートゥース連結のための動作が進められなかった。
【００６１】
図３を参照すれば、ユーザが、従来のパワーオフ状態にあるＴＶ ３００を利用し、サウンドミラーリングサービスを利用しようとする場合、ユーザは、まず、ＴＶ ３００がパワーオン（power on）になるように、ＴＶ ３００を操作しなければならない。例えば、ユーザは、リモートコントロール装置（remote controller）３２０を利用し、ＴＶ ３００をパワーオンにした後、モバイルフォン３５０を介し、パワーオン状態にあるＴＶ ３００と、ブルートゥース連結を行わなければならない。
【００６２】
例えば、ＴＶ ３００がパワーオンになれば、ＴＶ ３００は、ディスプレイ上に、所定画面３３０を出力する「スクリーンオン（screen on）」状態になる。従って、ユーザは、ＴＶ ３００がパワーオンになった後、モバイルフォン３５０を介し、ブルートゥース連結を進めることができる。例えば、ユーザは、モバイルフォン３５０のブルートゥース連結機能を利用し、ブルートゥース連結可能な機器としてＴＶ ３００を選択し、選択されたＴＶ ３００とモバイルフォン３５０とのブルートゥース連結が進められるようにする。
【００６３】
続けて、ＴＶ ３００とモバイルフォン３５０とのブルートゥース連結が完了すれば、モバイルフォン３５０の制御により、ＴＶ ３００とモバイルフォン３５０とのサウンドミラーリングサービスが実行されうる。例えば、モバイルフォン３５０をソース機器に、ＴＶ ３００をシンク機器にし、サウンドミラーリングサービスが実行されうる。
【００６４】
それにより、ＴＶ ３００は、サウンドミラーリングに対応するメニュー画面３７１を含む画面３７０をディスプレイすることができる。画面３７０は、図２Ｂに図示された画面２５０とも対応する。
【００６５】
図３を参照して説明したように、ＴＶ ３００がパワーオフされた状態においては、モバイルフォン３５０とＴＶ ３００とのブルートゥース連結を即座に進めることができなかった。従って、モバイルフォン３５０のユーザが、ＴＶ ３００を介し、サウンドミラーリングサービスを利用しようとするとき、ユーザは、ＴＶ ３００をまずパワーオンにするために、追加すべき操作をしなければならない不都合があった。また、ユーザは、ＴＶ ３００がパワーオンになり、スクリーンオン状態になるまで待ってこそ、サウンドミラーリングサービスを実行させることができた。
【００６６】
例示された実施形態は、ユーザがサウンドミラーリングサービス利用にあたり、前述の不都合を克服し、さらに迅速であって便利にサウンドミラーリングのためのブルートゥース連結が行われるようにすることにより、ユーザの満足度をさらに高めさせるディスプレイ装置及びその制御方法を開示する。
【００６７】
以下においては、図４ないし図１３を参照し、例示された実施形態によるディスプレイ装置及びその制御方法について詳細に説明することにする。
【００６８】
図４は、例示された実施形態によるディスプレイ装置を示すブロック図である。
【００６９】
ディスプレイ装置４００は、コンテンツ、広告及び案内情報、またはＵＩ画面などをユーザに視覚的に出力するための装置であり、ＴＶ、デジタル放送用端末機のように多様な形態で存在しうる。また、ディスプレイ装置４００は、冷蔵庫のような外部機器に含まれる形態（例えば、冷蔵庫の前面に挿入されるディスプレイなど）としても存在しうる。また、ディスプレイ装置４００は、固定型または移動型として、所定空間にも配置される。
【００７０】
例示された実施形態において、ディスプレイ装置４００は、無線通信ネットワーク４０１を介し、隣接して位置する少なくとも１つの外部機器４５０と所定データを送受信するか、隣接して位置する少なくとも１つの外部機器とペアリング（pairing）されるか、隣接して位置する少なくとも１つの外部機器を遠隔制御するか、あるいは隣接して位置する少なくとも１つの外部機器から遠隔制御されうる。
【００７１】
ディスプレイ装置４００と、無線通信ネットワーク４０１を介して連結可能な外部機器４５０は、ウェアラブルデバイス、スマートフォン、タブレットＰＣ、ＰＣ、ＰＤＡ（personal digital assistant）、ラップトップコンピュータ、メディアプレイヤ、マイクロサーバ、ＧＰＳ（global positioning system）装置、電子書籍端末機、デジタル放送用端末機、ナビゲーション、キオスク、ＭＰ３プレイヤ、デジタルカメラ及び自動車の電子制御装置、中央情報ディスプレイ（ＣＩＤ：central information display）のようなモバイルコンピュータ装置または非モバイルコンピュータ装置でもあるが、それらに制限されるものではない。例えば、例示された実施形態による電子機器は、ユーザが携帯可能な全種の電子機器にもなり、ユーザが携帯可能ではない電子機器にもなる。
【００７２】
例示された実施形態において、ディスプレイ装置４００は、外部機器４５０と、無線ネットワーク（例えば、ブルートゥースネットワーク）を介する無線連結（例えば、ブルートゥース連結）を行い、無線連結（例えば、ブルートゥース連結）された外部機器４５０からサウンドミラーリングのためのオーディオデータを伝送されうる。
【００７３】
以下で説明される図面においては、例示された実施形態によるディスプレイ装置４００がＴＶである場合を例として挙げて説明して図示されている。そして、外部機器４５０は、サウンドミラーリングサービスを行うことができるスマートフォンである場合を例として挙げて説明することにする。
【００７４】
図４を参照すれば、外部機器４５０は、通信部４６０、制御部４７０及びメモリ４８０を含んでもよい。
【００７５】
通信部４６０（例えば、通信回路を含む通信部）は、制御部４７０の制御により、外部機器４５０とデータ送受信を行うことができる。通信部４６０は、多様な通信回路を含み、無線通信標準によって形成される無線ネットワークを介し、外部機器４５０と無線通信を行うことができる。例えば、通信部４６０は、ブルートゥース通信を行うことができる。通信部４６０は、後述されるディスプレイ装置４００の通信部４１０に対応しうるので、詳細な説明は、省略する。
【００７６】
制御部４７０は、１以上のインストラクションを遂行するプロセッサ（図示せず）を少なくとも一つ含み、外部機器４５０の全般的な動作を制御することができる。例えば、制御部４７０は、多様なプロセッシング回路（processing circuitry）及び／または制御回路（controlling circuitry）を含み、外部機器４５０をソース機器にしてサウンドミラーリングサービスが実行されるように、外部機器４５０の動作を制御することができる。例えば、制御部４７０は、通信部４６０を介し、ディスプレイ装置４００にオーディオ伝送のためのブルートゥース連結要請が伝送されるように制御することができる。制御部４７０は、後述されるディスプレイ装置４００の制御部４２０に対応しうるので、詳細な説明は、省略する。
【００７７】
メモリ４８０は、１以上のインストラクションを保存することができる。メモリ４８０に保存される１以上のインストラクションは、制御部４７０に含まれるプロセッサ（図示せず）を介しても実行される。メモリ４８０は、後述されるディスプレイ装置４００のメモリ４３０に対応しうるので、詳細な説明は、省略する。また、メモリ４８０は、サウンドミラーリングされるオーディオデータを保存してもいる。
【００７８】
外部機器４５０の制御部４７０は、サウンドミラーリングサービスが実行されるように制御することができる。制御部４７０の制御により、サウンドミラーリングサービスが開始されれば、ブルートゥース連結可能な機器を検索し、検索された機器のうちいずれか一つがシンク機器としても選択される。そして、制御部４７０は、選択されたシンク機器にブルートゥース連結要請が送信されるように制御することができる。ここで、サウンドミラーリングサービスのために選択されたシンク機器は、以下で説明されるディスプレイ装置４００にもなる。
【００７９】
図４を参照すれば、例示された実施形態によるディスプレイ装置４００は、通信部４１０、制御部４２０、メモリ４３０、ディスプレイ４４０及びスピーカ４４５を含む。
【００８０】
通信部４１０（例えば、通信回路を含む通信部）は、制御部４２０の制御により、外部機器４５０とデータ送受信を行うことができる。例えば、通信部４１０は、無線通信標準によって形成される無線ネットワークを介し、外部機器４５０と無線通信を行うことができる。
【００８１】
例示された実施形態において、通信部４１０は、ブルートゥース通信を行うことができる。例えば、通信部４１０は、外部機器４５０と、ブルートゥースネットワーク４０１を介してブルートゥース通信標準に合わせて生成されるブルートゥース信号を送受信することができる。例えば、通信部４１０は、ブルートゥース通信標準に含まれるブルートゥースＡ２ＤＰにより、外部機器４５０とオーディオ信号を送受信するブルートゥース通信部（図示せず）６１０（図６）を含んでもよい。
【００８２】
制御部４２０は、１以上のインストラクションを遂行するプロセッサ（図示せず）を少なくとも一つ含む。ここで、少なくとも１つのプロセッサそれぞれは、メモリ４３０に保存された１以上のインストラクションのうち少なくとも一つを実行させることにより、所定動作を行うことができる。
【００８３】
また、少なくとも１つのプロセッサ（図示せず）それぞれは、制御部４２０の内部に保存された１以上のインストラクションのうち少なくとも一つを実行させることにより、所定動作を行うこともできる。
【００８４】
また、制御部４２０に含まれる少なくとも１つのプロセッサが、ディスプレイ装置４００で遂行される動作を制御することができ、所定動作が遂行されるように、ディスプレイ装置４００内に含まれる他の構成を制御することができる。従って、制御部４２０が、所定動作が遂行されるように制御する場合を例として挙げて説明するとしても、制御部４２０に含まれる少なくとも１つのプロセッサが所定動作が遂行されるように制御することができるということは、自明であろう。
【００８５】
また、制御部４２０は、内部メモリ（図示せず）、及び保存された少なくとも１つのプログラムを実行する少なくとも１つのプロセッサ（図示せず）を含んでもよい。例えば、制御部４２０の内部メモリ（図示せず）は、１以上のインストラクションを保存することができる。そして、制御部４２０に含まれる少なくとも１つのプロセッサ（図示せず）は、制御部４２０の内部メモリ（図示せず）に保存された１以上のインストラクションのうち少なくとも一つを実行し、所定動作を行うことができる。
【００８６】
例えば、制御部４２０は、ディスプレイ装置４００の外部から入力される信号またはデータを保存するか、あるいはディスプレイ装置４００で遂行される多様な作業に対応する保存領域で使用されるＲＡＭ（random access memory）（図示せず）、ディスプレイ装置４００の制御のための制御プログラム、及び／または複数個のインストラクションが保存されたＲＯＭ（read only memory）（図示せず）、並びに少なくとも１つのプロセッサ（図示せず）を含んでもよい。該プロセッサ（図示せず）は、ビデオに対応するグラフィック処理のためのグラフィックプロセッサ（graphic processing unit）（図示せず）を含んでもよい。該プロセッサ（図示せず）は、コア（図示せず）とＧＰＵ（graphics processing unit）（図示せず）とを統合させたＳｏＣ（system on chip）としても具現される。該プロセッサ（図示せず）は、シングルコア、デュアルコア、トリプルコア、クアッドコア、及びその倍数のコアを含んでもよい。
【００８７】
以下においては、説明の便宜上、制御部４２０が所定動作を遂行または制御するにおいて、制御部４２０のプロセッサ（図示せず）がメモリ４３０に保存された少なくとも１つのインストラクションを実行し、所定動作を遂行する場合を例に挙げて説明することにする。
【００８８】
メモリ４３０は、１以上のインストラクションを保存することができる。メモリ４３０に保存される１以上のインストラクションは、制御部４２０に含まれるプロセッサ（図示せず）を介して実行される。
【００８９】
メモリ（２４０）は、フラッシュメモリタイプ、ハードディスクタイプ、マルチメディアカードマイクロタイプ、カードタイプのメモリ（例えば、ＳＤメモリまたはＸＤメモリなど）、ＲＡＭ、ＳＲＡＭ（static random access memory）、ＲＯＭ、ＥＥＰＲＯＭ（electrically erasable programmable read only memory）、ＰＲＯＭ（programmable read only memory）、磁気メモリ、磁気ディスク、光ディスクのうち少なくとも１つのタイプの記録媒体を含んでもよい。
【００９０】
ディスプレイ４４０は、ビデオデータをユーザが視覚的に認識することができるように、内部に含まれるディスプレイパネルを介し、ビデオデータに対応するイメージを出力することができる。
【００９１】
スピーカ４４５は、オーディオ信号をユーザが聴覚的に認識することができるように出力することができる。例示された実施形態において、ディスプレイ装置４００と外部機器４５０とのサウンドミラーリングサービスが実行されるとき、スピーカ４４５は、制御部４２０の制御により、サウンドミラーリングされた音源をユーザが聴覚的に認識することができるように出力することができるのである。
【００９２】
例示された実施形態において、通信部４１０は、ディスプレイ装置４００がパワーオフ状態である間、外部機器４５０から受信されるオーディオ伝送のための無線連結要請（例えば、ブルートゥース連結要請）に基づき、外部機器４５０に、無線連結要請（例えば、ブルートゥース連結要請）の受諾を知らせる応答を伝送し、制御部４２０がブルートゥース連結が必要な状態にウェークアップされるように動作する。以下においては、無線通信がブルートゥース通信であり、無線連結要請がブルートゥース連結要請である場合を例に挙げて説明することにする。
【００９３】
また、例示された実施形態において、ディスプレイ装置４００の動作モードは、大きく見て、パワーオンになった状態に対応する正常モード（normal mode）、及びパワーオフ状態に対応するスリープモード（sleep mode）にも区分される。
【００９４】
該正常モードは、ディスプレイ装置４００の通信部４１０、及び通信部４１０以外の少なくとも１つの構成に電源が供給される動作状態を意味する。従って、該正常モードにおいては、ディスプレイ装置４００が所定映像をディスプレイすることができる。また、該正常モードは、スクリーンオフになり、ディスプレイ４４０の画面は、ブラック画面の状態であるか、あるいは制御部４２０に電源が供給され、制御部４２０が所定動作を制御及び／または遂行することができる状態であるバックグラウンドパワーオン（background power on）になっている状態を含んでもよい。例えば、該バックグラウンドパワーオン状態においては、ディスプレイ４４０は、スクリーンオフになっているが、制御部４２０は、起動（booting）されている状態であるので、所定動作を遂行することができる。
【００９５】
例えば、該バックグラウンドパワーオンは、ディスプレイ装置４００の画面は、オフになっている状態において、ディスプレイ装置４００が起動される状態を意味しうる。従って、該バックグラウンドパワーオンは、バックグラウンドブート（background boot）（８０３）とも称される。ディスプレイ装置４００が、ディスプレイ４４０を介し、意味ある画面を出力しない段階であるか、あるいは制御部４２０が所定動作、例えば、ブルートゥース連結動作などを遂行するために起動がなされねばならない状態であるとき、ディスプレイ装置４００は、バックグラウンドパワーオンを行うことができる。
【００９６】
該スリープモードは、ディスプレイ装置４００の電源が節約されるモードであり、通信部４１０にだけ電源が供給され、外部機器（例えば、モバイルフォン（図示せず）またはリモートコントロール装置（図示せず）など）から、制御信号または所定データを送受信することができる動作状態を意味する。該スリープモードにおいては、通信部４１０以外の構成には、電源供給が遮断される。該スリープモードは、待機モード（standby mode）、節電モードまたはＬＰＭ（low power mode）モードを含んでもよい。
【００９７】
また、「ウェークアップ」は、スリープモードにあるディスプレイ装置４００が正常モードに進み入るために活性化される動作を意味しうる。ディスプレイ装置４００がスリープモードにある場合、制御部４２０への電源供給が遮断され、制御部４２０は、動作しておらず、通信部４１０だけに電源が供給され、通信部４１０だけ動作可能な状態にある。その場合、通信部４１０は、スキャン信号または受信されるブルートゥース信号、及び／またはリモートコントロール信号などにより、制御部４２０をウェークアップさせるための信号を生成し、制御部４２０に伝達することができる。
【００９８】
例示された実施形態において、ディスプレイ装置４００がパワーオンになっている間には、通信部４１０が受信されたブルートゥース信号に対応する制御信号を制御部４２０で伝達することになる。
【００９９】
また、ディスプレイ装置４００がパワーオンまたはバックグラウンドパワーオンになっているときの動作モードをＨＣＩ（host controller interface）モードと称することができる。
【０１００】
そして、ディスプレイ装置４００がパワーオフになっているとき、通信部４１０がブルートゥース信号を受信しても、それに対応する制御信号は、即座に制御部４２０に伝達されず、制御部４２０がウェークアップされた後には、受信されたブルートゥース信号に対応する制御信号が制御部４２０に伝達されうる。そのように、ディスプレイ装置４００がパワーオフになっているときの動作モードをＬＰＭモードと称することができる。
【０１０１】
図５は、例示された実施形態によるディスプレイ装置４００において、該ディスプレイ装置がパワーオフになった状態において、サウンドミラーリングサービスの実行のために必要な動作について説明するための一図面である。図５において、図４と同一構成は、同一図面記号を利用して図示した。
【０１０２】
例示された実施形態において、通信部４１０は、ディスプレイ装置４００がパワーオフ状態であるとき、外部機器４５０から、オーディオ伝送のためのブルートゥース連結要請が受信されれば、それを無視する処理を行わない。例えば、通信部４１０は、受信されたブルートゥース連結要請に対応し、外部機器４５０に、連結要請の受諾を知らせる応答を伝送することができる。そして、通信部４１０は、制御部４２０がウェークアップされ、ブルートゥース連結を後続して行うようにする信号（例えば、図９で図示するパルス信号）を生成し、制御部４２０で伝送することができる。それにより、制御部４２０は、通信部４１０から伝送された信号に応答してウェークアップされ、ブルートゥース連結のための動作を行うことになる。
【０１０３】
それにより、例示された実施形態は、ディスプレイ装置がパワーオフ状態であるとしても、外部機器４５０のオーディオ伝送によるブルートゥース連結要請に応答し、ブルートゥース連結動作を遂行し、後続されるオーディオ伝送のための動作（例えば、サウンドミラーリング動作）を遂行することができる。
【０１０４】
図５を参照すれば、ディスプレイ装置４００がパワーオフになった状態であるとき、ディスプレイ装置４００の画面は、ブラック画面５０１になる。このとき、外部機器４５０であるモバイルフォンにおいて、サウンドミラーリングサービスを提供するアプリケーションまたはプログラムを介し、ディスプレイ装置４００に接続し、ブルートゥース連結を行おうとする試みを行うことができる。それにより、ディスプレイ装置４００の通信部４１０は、外部機器４５０から伝送されるブルートゥース連結要請を受信し、それに対応し、制御部４２０がブルートゥース連結が必要な状態にウェークアップされるように動作する。
【０１０５】
図５を参照すれば、制御部４２０は、通信部４１０の動作に対応してウェークアップされ、ブルートゥース連結のための後続動作を遂行することができる。例えば、制御部４２０がウェークアップされることにより、ディスプレイ装置４００がパワーオン状態にもなる。そして、制御部４２０は、ブルートゥース連結を行い、サウンドミラーリングが行われるように、ディスプレイ装置４００を制御することができる。それにより、ディスプレイ装置４００は、サウンドミラーリングに対応するメニュー画面５７１を含む画面５７０をディスプレイすることができる。
【０１０６】
前述のように、例示された実施形態によるディスプレイ装置４００がパワーオフ状態にあるとしても、ユーザは、外部機器４５０を操作し、直接ディスプレイ装置４００を介するサウンドミラーリングサービスを実行させることができる。従って、図３で説明されたさらなる操作及び遅延時間を省略または短縮させることができ、ユーザの利便性をさらに高めることができる。
【０１０７】
図６は、例示された実施形態によるディスプレイ装置６００をさらに詳細に示すブロック図である。図６において、図４と同一構成は、同一図面記号を利用して図示した。また、図６に図示されたディスプレイ装置６００は、図４に図示されたディスプレイ装置４００に対応するので、図６に図示されたディスプレイ装置６００についての説明におき、図１ないし図５と重複する説明は、省略する。
【０１０８】
図６を参照すれば、通信部４１０は、ブルートゥース通信を行うブルートゥース通信部６１０を含む。また、通信部４１０は、無線ＬＡＮモジュール６３０及び内部メモリ６２０のうち少なくとも一つをさらに含んでもよい。ブルートゥース通信部６１０の具体的な構成は、以下において図８を参照し、詳細に説明することにする。
【０１０９】
無線ＬＡＮモジュール６３０は、ブルートゥース以外の無線通信ネットワークを介して無線信号を送受信することができる。具体的には、通信部４１０は、無線信号の送受信を行うために、近距離通信モジュール（図示せず）、移動通信モジュール（図示せず）、放送受信モジュール（図示せず）のような少なくとも１つの無線通信モジュールを含んでもよい。
【０１１０】
少なくとも１つの通信モジュールは、ＷＬＡＮ（wireless ＬＡＮ）（Ｗｉ−Ｆｉ）、Ｗｉｂｒｏ（wireless broadband）、Ｗｉｍａｘ（world interoperability for microwave access）、ＣＤＭＡ（code division multiple access）、ＷＣＤＭＡ（登録商標）（wideband code division multiple access）のような無線通信規格による無線通信ネットワークを介し、データ送受信を行うことができる通信モジュールを意味する。また、少なくとも１つの通信モジュールは、ディスプレイ装置６００を遠隔から制御するためのリモートコントロール装置３０２（図３；図６に図示せず）から制御信号を受信することができる。
【０１１１】
また、通信部４１０は、有線通信モジュール（図示せず）をさらに含んでもよい。
【０１１２】
通信部４１０は、内部にメモリを含んでもよい。通信部４１０に含まれるメモリを「内部メモリ６２０」として図示した。内部メモリ６２０は、通信部４１０が送受信するデータを保存することができる。また、内部メモリ６２０は、ディスプレイ装置４００がパワーオフ状態にあるとき、通信部４１０において遂行する動作を制御または管理するための少なくとも１つのインストラクション、少なくとも１つのプログラム、及び／または少なくとも１つのアプリケーションなどを保存することができる。
【０１１３】
また、ディスプレイ装置６００は、図４に図示されたディスプレイ装置４００に比べ、ＵＩ ４４７をさらに含んでもよい。
【０１１４】
ＵＩ ４４７は、ディスプレイ装置６００を制御するためのユーザ入力を受信することができる。ＵＩ ４４７は、ユーザのタッチを感知するタッチパネル、ユーザのプッシュ操作を受信するボタン、ユーザの回転操作を受信するホイール、キーボード、及びドームスイッチなどを含むユーザ入力デバイスを含んでもよいが、それらに制限されるものではない。
【０１１５】
また、ＵＩ ４４７は、音声認識のための音声認識装置（図示せず）を含んでもよい。例えば、該音声認識装置は、マイクにもなり、音声認識装置は、ユーザの音声命令または音声要請を受信することができる。それにより、制御部４２０は、音声命令または音声要請に対応する動作が遂行されるように制御することができる。
【０１１６】
また、ＵＩ ４４７は、モーション感知センサ（図示せず）を含んでもよい。例えば、該モーション感知センサ（図示せず）は、ディスプレイ装置４００の動きを感知し、感知された動きをユーザ入力に受信することができる。また、前述の音声認識装置（図示せず）及びモーション感知センサ（図示せず）は、ＵＩ ４４７内に含まれる形態ではなく、ＵＩ ４４７とは独立したモジュールとして、ディスプレイ装置４００内に含まれてもよいのである。
【０１１７】
例示された実施形態において、ディスプレイ装置６００がサウンドミラーリングを行うとき、ディスプレイ４４０は、サウンドミラーリングに対応するＵＩを出力することができる。例えば、ディスプレイ装置６００は、図２Ａ及び図２Ｂに図示されたＵＩ画面を出力することができる。
【０１１８】
また、ＵＩ ４４７は、サウンドミラーリングの動作制御のためのユーザ入力を受信することができる。例えば、ディスプレイ装置６００がサウンドミラーリングサービスを始めた後、ユーザがサウンドミラーリングサービスの出力音量を低減させようとする場合などにおき、ユーザの制御要請を受信することができる。それにより、制御部４２０は、ＵＩ ４４７において受信された制御要請に対応する動作を遂行することができるでしょう。
【０１１９】
図７は、本開示の他の実施形態によるディスプレイ装置７００を示すブロック図である。
【０１２０】
本開示の他の実施形態によるディスプレイ装置７００は、図１ないし図６を参照して説明された例示された実施形態によるディスプレイ装置１００，３００，４００または６００に対応しうる。それにより、ディスプレイ装置７００についての説明におき、図１ないし図６と重複する説明は、省略する。具体的には、ディスプレイ装置７００は、外部機器とブルートゥース通信を行うことができるディスプレイ装置にもなる。
【０１２１】
図７を参照すれば、ディスプレイ装置７００は、ビデオ処理部７１０（例えば、ビデオ処理回路を含む）、ディスプレイ部７１５、オーディオ処理部７２０（例えば、オーディオ処理回路を含む）、オーディオ出力部７２５（例えば、オーディオ出力回路を含む）、電源部７３０、チューナ部７４０、通信部７５０（例えば、通信回路を含む）、感知部７６０、入出力部７７０（例えば、入出力回路を含む）、制御部７８０（例えば、処理／制御回路を含む）、メモリ７９０を含む。
【０１２２】
ここで、制御部７８０は、図４及び図５に図示された制御部４２０に対応しうる。ディスプレイ装置７００の通信部７５０、ブルートゥース通信部７５２、無線ＬＡＮ ７５１、ディスプレイ部７１５、オーディオ出力部７２５及びメモリ７９０は、それぞれ図４及び／または図５に図示された通信部４１０、ブルートゥース通信部６１０、無線ＬＡＮモジュール６３０、ディスプレイ４４０、スピーカ４４５及びメモリ４３０に対応しうる。従って、図７に図示されたディスプレイ装置７００についての説明におき、例示された実施形態によるディスプレイ装置４００または６００の説明と重複する説明は、省略する。
【０１２３】
ビデオ処理部７１０は、ビデオ処理回路を含んでもよく、ディスプレイ装置７００が受信したビデオデータに対する処理を行う。ビデオ処理部７１０においては、ビデオデータに対するデコーディング、スケーリング、ノイズフィルタリング、フレームレート変換、解像度変換のような多様なイメージ処理を行うことができる。
【０１２４】
制御部７８０は、多様な処理／制御回路を含んでもよく、ビデオ処理部７１０で処理されたビデオデータに係わる記録要請を受信し、ビデオデータを暗号化し、制御部７８０またはメモリ７９０に含まれるメモリ装置（図示せず）、例えば、ＲＡＭ（図示せず）に記録されるように制御することができるのである。
【０１２５】
ディスプレイ部７１５は、制御部７８０の制御により、チューナ部７４０を介して受信された放送信号に含まれたビデオを画面に表示する。また、ディスプレイ部７１５は、通信部７５０または入出力部７７０を介して入力されるコンテンツ（例えば、動画）を表示することができる。
【０１２６】
また、ディスプレイ部７１５は、制御部７８０の制御により、メモリ７９０に保存された映像を出力することができる。また、ディスプレイ部７１５は、音声認識に対応する音声認識タスクを遂行するための音声ＵＩ（例えば、音声命令語ガイドを含む）、またはモーション認識に対応するモーション認識タスクを遂行するためのモーションＵＩ（例えば、モーション認識のためのユーザモーションガイドを含む）を表示することができる。
【０１２７】
オーディオ処理部７２０は、オーディオデータに対する処理を行う。オーディオ処理部７２０においては、オーディオデータに対するデコーディングや増幅（amplification）、ノイズフィルタリングのような多様な処理が行われうる。一方、オーディオ処理部７２０は、複数のコンテンツに対応するオーディオを処理するために、複数のオーディオ処理モジュールを具備することができる。
【０１２８】
オーディオ出力部７２５は、制御部７８０の制御により、チューナ部７４０を介して受信された放送信号に含まれたオーディオを出力する。オーディオ出力部７２５は、通信部７５０または入出力部７７０を介して入力されるオーディオ（例えば、音声、サウンド）を出力することができる。また、オーディオ出力部７２５は、制御部７８０の制御により、メモリ７９０に保存されたオーディオを出力することができる。オーディオ出力部７２５は、スピーカ７２６、ヘッドホン出力端子７２７またはＳ／ＰＤＩＦ（Sony/Philips digital interface）出力端子７２８のうち少なくとも一つを含んでもよい。オーディオ出力部７２５は、スピーカ７２６、ヘッドホン出力端子７２７及びＳ／ＰＤＩＦ出力端子７２８の組み合わせを含んでもよい。
【０１２９】
例示された実施形態において、スピーカ７２６は、音波信号を出力することができる。具体的には、スピーカ７２６は、超音波信号を出力することができるのである。
【０１３０】
電源部７３０は、制御部７８０の制御により、ディスプレイ装置７００内部の構成要素（ビデオ処理部７１０ないしメモリ７９０）に、外部の電源ソースから入力される電源を供給する。また、電源部７３０は、制御部７８０の制御により、ディスプレイ装置７００内部に位置する１または２以上のバッテリ（図示せず）から出力される電源を内部の構成要素（ビデオ処理部７１０ないしメモリ７９０）に供給することができる。
【０１３１】
チューナ部７４０は、有線または無線で受信される放送信号を、増幅、混合（mixing）、共振（resonance）などを介し、多くの電波成分のうち、ディスプレイ装置７００で受信しようとするチャネルの周波数のみをチューニングして選択することができる。該放送信号は、オーディオ、ビデオ及び付加情報（例えば、ＥＰＧ（electronic program guide））を含む。
【０１３２】
チューナ部７４０は、ユーザ入力（例えば、外部の制御装置（図示せず）、例えば、遠隔制御器から受信される制御信号、例えば、チャネル番号入力、チャネルのアップダウン入力、及びＥＰＧ画面におけるチャネル入力）により、チャネル番号（例えば、ケーブル放送５０６番）に対応する周波数帯域で放送信号を受信することができる。
【０１３３】
チューナ部７４０は、地上波放送、ケーブル放送、衛星放送、インターネット放送のような多様なソースから放送信号を受信することができる。チューナ部７４０は、アナログ放送またはデジタル放送のようなソースから、放送信号を受信することもできる。チューナ部７４０を介して受信された放送信号は、デコーディング（例えば、オーディオデコーディング、ビデオデコーディングまたは付加情報デコーディング）され、オーディオ、ビデオ及び／または付加情報に分離される。分離されたオーディオ、ビデオ及び／または付加情報は、制御部７８０の制御により、メモリ７９０にも保存される。
【０１３４】
ディスプレイ装置７００のチューナ部７４０は、一つでもあり複数でもある。一実施形態により、チューナ部７４０が複数個によってなる場合、ディスプレイ部７１５に提供されるマルチウィンドウ画面をなす複数個のウィンドウに、複数個の放送信号を出力することができるのである。
【０１３５】
チューナ部７４０は、ディスプレイ装置７００と一体型（all-in-one）にも具現されるか、あるいはディスプレイ装置７００と電気的に連結されるチューナ部を有する別個の装置（例えば、セットトップボックス（set-top box）（図示せず）、入出力部７７０に連結されるチューナ部（図示せず））にも具現される。
【０１３６】
通信部７５０は、多様な通信回路を含む多様なモジュールを含んでもよく、制御部７８０の制御により、ディスプレイ装置７００を外部機器（例えば、オーディオ装置など）と連結させることができる。制御部７８０は、通信部７５０を介して連結された外部機器に／からコンテンツを送信／受信したり、外部機器からアプリケーションをダウンロードしたり、ウェブブラウジングしたりすることができる。具体的には、通信部７５０は、ネットワークに接続し、外部機器（図示せず）からコンテンツを受信することができる。
【０１３７】
前述のように、通信部７５０は、近距離通信モジュール（図示せず）、有線通信モジュール（図示せず）及び移動通信モジュール（図示せず）のうち少なくとも一つを含んでもよい。
【０１３８】
図７においては、通信部７５０が、無線ＬＡＮ ７５１、ブルートゥース通信部７５２及び有線イーサネット（Ethernet）７５３のうちいずれか一つを含む場合を例として挙げて図示した。
【０１３９】
また、通信部７５０は、無線ＬＡＮ ７５１、ブルートゥース通信部７５２、及び有線イーサネット７５３のうちいずれか１以上を含むモジュール組み合わせを含んでもよい。また、通信部７５０は、制御部７８０の制御により、制御装置（図示せず）の制御信号を受信することができる。該制御信号は、ブルートゥースタイプ、ＲＦ（radio frequency）信号タイプまたはＷｉ−Ｆｉタイプによっても具現される。
【０１４０】
通信部７５０は、ブルートゥース以外の他の近距離通信（例えば、ＮＦＣ（near field communication）モジュール（図示せず）、別途のＢＬＥ（Bluetooth low energy）モジュール（図示せず））をさらに含んでもよい。
【０１４１】
感知部７６０は、ユーザの音声、ユーザの映像、またはユーザのインタラクションを感知する。
【０１４２】
マイク７６１は、ユーザの発話（utterance）された音声を受信する。マイク７６１は、受信された音声を電気信号に変換し、制御部７８０に出力することができる。該ユーザ音声は、例えば、ディスプレイ装置７００のメニューまたは機能に対応する音声を含んでもよい。例えば、マイク７６１の認識範囲は、マイク７６１からユーザ位置まで４ｍ以内が勧奨され、マイク７６１の認識範囲は、ユーザ音声の大きさと、周辺環境（例えば、スピーカ音、周辺騒音）とに対応しても異なる。
【０１４３】
マイク７６１は、ディスプレイ装置７００とは、一体型または分離型にも具現される。分離されたマイク７６１は、通信部７５０または入出力部７７０を介し、ディスプレイ装置７００と電気的に連結されうる。
【０１４４】
ディスプレイ装置７００の性能及び構造により、マイク７６１が除外されうるということは、当該技術分野で当業者に容易に理解されるであろう。
【０１４５】
カメラ部７６２は、カメラ認識範囲において、ジェスチャを含むユーザのモーションに対応する映像（例えば、連続されるフレーム）を受信する。例えば、カメラ部７６２の認識範囲は、カメラ部７６２からユーザまで０．１〜５ｍ以内距離にもなる。ユーザモーションは、例えば、ユーザの顔、表情、手、拳、指のようなユーザの身体一部分、またはユーザ一部分のモーションなどを含んでもよい。カメラ部７６２は、制御部７８０の制御により、受信された映像を電気信号に変換し、制御部７８０に出力することができる。
【０１４６】
制御部７８０は、受信されたモーションの認識結果を利用し、ディスプレイ装置７００に表示されるメニューを選択したり、モーション認識結果に対応する制御を行ったりすることができる。例えば、チャネル調整、ボリューム調整、指示子移動を含んでもよい。
【０１４７】
カメラ部７６２は、レンズ（図示せず）及びイメージセンサ（図示せず）によっても構成される。カメラ部７６２は、複数のレンズと、イメージプロセッサとを利用し、光学ズーム（optical zoom）またはデジタルズーム（digital zoom）を支援することができる。カメラ部７６２の認識範囲は、カメラの角度、及び周辺環境条件によって多様に設定されうる。カメラ部７６２が複数個のカメラによって構成される場合、複数のカメラを利用し、三次元静止イメージまたは三次元モーションイメージを受信することができる。
【０１４８】
カメラ部７６２は、ディスプレイ装置７００とは、一体型または分離型にも具現される。分離されたカメラ部７６２を含む別途の装置（図示せず）は、通信部７５０または入出力部７７０を介し、ディスプレイ装置７００と電気的に連結されうる。
【０１４９】
ディスプレイ装置７００の性能及び構造により、カメラ部７６２が除外されうるということは、当該技術分野で当業者に容易に理解されるであろう。
【０１５０】
光受信部７６３は、外部の制御装置（図示せず）から受信される光信号（制御信号を含む）を、ディスプレイ部７１５のベゼル光窓（図示せず）などを介して受信する。光受信部７６３は、制御装置（図示せず）から、ユーザ入力（例えば、タッチ、押し、タッチジェスチャ、音声またはモーション）に対応する光信号を受信することができる。受信された光信号から、制御部７８０の制御により、制御信号が抽出されうる。
【０１５１】
例えば、光受信部７６３は、制御装置７８０のポインティング位置に対応する信号を受信し、それを制御部７８０で伝送することができる。例えば、ディスプレイ部７１５を介し、ユーザからデータまたは命令を入力されるためのＵＩ画面が出力され、制御装置７８０を介し、ユーザがデータまたは命令をディスプレイ装置７００に入力する場合、光受信部７６３は、ユーザが制御装置７８０に設けられたタッチパッド（図示せず）に指を接触させた状態で、制御装置７８０を動かせば、制御装置７８０の動きに対応する信号を受信し、それを制御部７８０で伝送することができる。また、光受信部７６３は、制御装置７８０に設けられた特定ボタンが押されたことを示す信号を受信し、それを制御部７８０で伝送することができる。例えば、光受信部７６３は、ユーザが、制御装置７８０に、ボタン式で設けられたタッチパッド（図示せず）を指で押せば、そのようなボタン式タッチパッド（図示せず）が押されたという信号を受信し、それを制御部７８０で伝送することができる。例えば、ボタン式タッチパッド（図示せず）が押されたという信号は、アイテム中の一つを選択するための信号として利用されうる。
【０１５２】
入出力部７７０は、多様な入力／出力回路を含んでもよく、制御部７８０の制御により、ディスプレイ装置７００の外部から、ビデオ（例えば、動画など）、オーディオ（例えば、音声、音楽など）及び付加情報（例えば、ＥＰＧなど）などを受信する。入出力部７７０は、ＨＤＭＩ（登録商標）ポート（high-definition multimedia interface port）７７１、コンポーネントジャック（component jack）７７２、ＰＣポート（ＰＣ port）７７３及びＵＳＢポート（ＵＳＢ port）７７４のうち一つを含んでもよい。入出力部７７０は、ＨＤＭＩ（登録商標）ポート７７１、コンポーネントジャック７７２、ＰＣポート７７３及びＵＳＢポート７７４の組み合わせを含んでもよい。
【０１５３】
入出力部７７０の構成及び動作は、本発明の実施形態によって多様にも具現されるということは、当該技術分野の当業者に容易に理解されるであろう。
【０１５４】
制御部７８０は、ディスプレイ装置７００の全般的な動作、及びディスプレイ装置７００の内部構成要素間の信号フローを制御し、データを処理する機能を遂行する。制御部７８０は、ユーザの入力があったり、既設定の保存された条件を満足したりする場合、制御部７８０は、メモリ７９０に保存されたＯＳ（operation system）及び多様なアプリケーションを実行することができる。
【０１５５】
制御部７８０は、ディスプレイ装置７００の外部から入力される信号またはデータを保存する、あるいはディスプレイ装置７００で遂行される多様な作業に対応する保存領域で使用されるＲＡＭ（図示せず）、ディスプレイ装置７００の制御のための制御プログラムが保存されたＲＯＭ（図示せず）、及びプロセッサ（図示せず）を含んでもよい。
【０１５６】
該プロセッサ（図示せず）は、ビデオに対応するグラフィック処理のためのグラフィックプロセッサ（図示せず）を含んでもよい。該プロセッサ（図示せず）は、コア（図示せず）とＧＰＵ（図示せず）とを統合させたＳｏＣとしても具現される。該プロセッサ（図示せず）は、シングルコア、デュアルコア、トリプルコア、クアッドコア、及びその倍数のコアを含んでもよい。
【０１５７】
また、該プロセッサ（図示せず）は、複数のプロセッサを含んでもよい。例えば、該プロセッサ（図示せず）は、メインプロセッサ（図示せず）、及びスリープモードで動作するサブプロセッサ（図示せず）によっても具現される。
【０１５８】
該グラフィック処理部（図示せず）は、演算部（図示せず）及びレンダリング部（図示せず）を利用し、アイコン、イメージ、テキストのような多様な客体を含む画面を生成する。該演算部は、感知部７６０を介して感知されたユーザインタラクションを利用し、画面のレイアウトによって各客体が表示される座標値、形態、大きさ、カラーのような属性値を演算する。該レンダリング部は、演算部で演算された属性値に基づき、客体を含む多様なレイアウトの画面を生成する。該レンダリング部で生成された画面は、ディスプレイ部７１５のディスプレイ領域内に表示される。
【０１５９】
以下においては、図８ないし図１１を参照し、本開示の一実施形態、または他の実施形態において遂行されるディスプレイ装置１００，４００，６００または７００のブルートゥース連結動作、及び後続するサウンドミラーリング動作について詳細に説明する。
【０１６０】
図８は、例示された実施形態で遂行されるブルートゥース連結動作について説明するための図面である。図８において、図４または図６と同一の構成は、同一図面記号を利用して図示されている。
【０１６１】
図８を参照すれば、外部機器４５０は、ディスプレイ装置６００以外の電子装置であり、ディスプレイ装置６００とブルートゥース通信を行い、オーディオ信号を送受信することができるモバイルフォン４５１、メディアプレイヤ４５２などにもなる。図８においては、外部機器４５０がモバイルフォン４５１である場合を例として挙げて図示して説明する。そして、ディスプレイ装置６００とモバイルフォン４５１との通信検索、通信連結及びオーディオ伝送は、ブルートゥース通信標準に含まれるブルートゥースＡ２ＤＰによって行われる場合を例として挙げて説明する。そして、説明の便宜上、以下においては、「ブルートゥースＡ２ＤＰ」を「Ａ２ＤＰ」と表記することにする。
【０１６２】
また、図８においては、前述の通信部４１０がブルートゥース通信部６１０と対応する場合を例として挙げて図示して説明することにする。ブルートゥース通信部６１０は、ブルートゥース通信規格に合わせ、ブルートゥース信号を生成して送受信することができる。
【０１６３】
図８を参照すれば、ブルートゥース通信部６１０は、ブルートゥースモジュール６１１及びブルートゥースプロセッサ６１３を含んでもよい。
【０１６４】
ブルートゥースモジュール６１１は、ブルートゥース信号を送受信する。具体的には、ブルートゥースモジュール６１１は、ディスプレイ装置６００がパワーオフ状態に進み入った後にも、電源を供給され、ブルートゥース信号をスキャンまたは受信することができる。そして、ブルートゥースモジュール６１１は、ディスプレイ装置６００とブルートゥース連結を行っていた履歴がある外部機器に係わるブルートゥース連結情報である第１情報を保存することができる。具体的には、ブルートゥースモジュール６１１は、ディスプレイ装置６００と、サウンドミラーリングを行っていた履歴がある外部機器に係わるブルートゥース連結情報（第１情報）を保存することができる。
【０１６５】
ブルートゥースプロセッサ６１３は、ディスプレイ装置がパワーオンになっているときに動作し、ディスプレイ装置６００と、ブルートゥース連結を行っていた履歴がある外部機器に係わるブルートゥース連結情報（前述の「第１情報」）を保存することができる。具体的には、ブルートゥースプロセッサ６１３は、ディスプレイ装置６００と、オーディオ伝送（例えば、サウンドミラーリング）のためのブルートゥース連結を行っていた履歴がある外部機器に係わるブルートゥース連結情報（前述の「第１情報」）を保存することができる。
【０１６６】
ここで、「ディスプレイ装置６００と、外部機器との（オーディオ伝送のための）ブルートゥース連結を行っていた履歴」とは、現在時点を基準に、以前のいずれか少なくとも１つの時点において、ディスプレイ装置６００と外部機器４５０との間に、ブルートゥース連結を完了していたことがあるか否かということに係わる情報を示す。ここで、ディスプレイ装置６００と外部機器４５０とのブルートゥース連結のための適法な（legal）認証手続きが行われ、適法に（legally）ブルートゥース連結が完了した場合がある場合、ディスプレイ装置６００と外部機器４５０との間に、ブルートゥース連結を完了した履歴があると判断することができる。
【０１６７】
また、例示された実施形態において、該履歴は、ディスプレイ装置６００と外部機器４５０との間にブルートゥース連結を適法に完了していたことを意味する。従って、該履歴は、不適切な方式（ハッキングなど）によってブルートゥース連結を完了していた履歴は、含まれないと言うことができるのである。また、該履歴は、ディスプレイ装置６００とユーザとによって相互連動されていた履歴を意味するものであり、特定データ伝送のためのブルートゥース連結に係わる履歴に限定されるものではない。
【０１６８】
ただし、ユーザまたはディスプレイ装置６００の別途設定により、前述の履歴を、オーディオ伝送のためのブルートゥース連結履歴に制限することはできるのである。または、ディスプレイ装置６００のデフォルト設定により、前述の履歴を、オーディオ伝送のためのブルートゥース連結履歴に制限することもできるのである。
【０１６９】
そして、ディスプレイ装置６００と外部機器４５０とのブルートゥース連結が適法に完了すれば、ディスプレイ装置６００の制御部４２０は、ブルートゥース連結が完了していた外部機器に係わる情報である連結情報である第１情報が、ブルートゥース通信部６１０に保存されるように制御することができる。ここで、該連結情報は、ブルートゥースネットワークを介し、適法に認証されて連結された外部機器を識別することができる情報を含む。例えば、該連結情報は、外部機器のブルートゥースＭＡＣアドレス（ＢＴ ＭＡＣ address：Bluetooth medium access control address）を含んでもよい。該ブルートゥースＭＡＣアドレス以外にも、ブルートゥースネットワークを介し、適法にディスプレイ装置６００に連結される外部機器を識別することができる情報であるならば、該連結情報である第１情報に含まれうるのである。
【０１７０】
具体的には、制御部４２０は、適法に完了していたブルートゥース連結が解除されるとき、対応する連結情報が、ブルートゥース通信部６１０に保存されるように制御することができる。
【０１７１】
具体的には、制御部４２０は、適法に完了していたブルートゥース連結に対応する連結情報が、ブルートゥース通信部６１０のブルートゥースモジュール６１１及びブルートゥースプロセッサ６１３のそれぞれに保存されるように制御することができる。また、前述の第１情報は、ディスプレイ装置６００と外部機器４５０とのブルートゥース連結が完了されて連結解除（disconnect）されるたびに更新されて保存されうる。また、該第１情報は、現在時点以前の所定期間の間、ディスプレイ装置６００と外部機器４５０とのブルートゥース連結が完了されて連結解除されていたときに保存されうる。例えば、制御部４２０は、ディスプレイ装置６００と外部機器４５０とのブルートゥース連結情報は、所定期間（例えば、１ヵ月、３ヵ月または６ヵ月など）が過ぎれば、自動的に、ブルートゥースモジュール６１１及びブルートゥースプロセッサ６１３それぞれから削除されるように制御することができるのである。
【０１７２】
または、ブルートゥースモジュール６１１及びブルートゥースプロセッサ６１３それぞれにおける内部データ保存空間が満杯になれば、制御部４２０は、最も以前に保存されていた連結情報が削除されるように、ブルートゥースモジュール６１１及びブルートゥースプロセッサ６１３を制御することができるのである。
【０１７３】
図８を参照すれば、モバイルフォン４５１は、ディスプレイ装置６００へのオーディオ伝送のためのブルートゥース連結要請（Ａ２ＤＰ connection request）８０１を伝送することができる。
【０１７４】
ブルートゥース通信部６１０は、モバイルフォン４５１から、ブルートゥース連結要請（Ａ２ＤＰ connection request）８０１を受信すれば、ディスプレイ装置６００と、外部機器であるモバイルフォン４５１との無線連結（具体的には、ブルートゥース連結）を行っていた履歴が存在するか否かということを判断することができる。具体的には、ブルートゥース通信部６１０は、オーディオ伝送のための無線連結（具体的には、ブルートゥース連結）を行っていた履歴が存在するか否かということを判断することができる。さらに詳細に、ブルートゥース通信部６１０は、サウンドミラーリングのための無線連結（具体的には、ブルートゥース連結）を行っていた履歴が存在するか否かということを判断することができる。
【０１７５】
例示された実施形態による通信部４１０、具体的には、ブルートゥース通信部６１０が、オーディオ伝送のためのブルートゥース連結を行っていた履歴が存在するか否かということにより、前述の応答を伝送する場合を例として挙げて説明する。
【０１７６】
そして、ブルートゥース通信部６１０は、ディスプレイ装置６００と、外部機器であるモバイルフォン４５１とのブルートゥース連結を行っていた履歴が存在すれば、外部機器であるモバイルフォン４５１に、ブルートゥース連結要請の受諾を知らせる応答を伝送することができる。
【０１７７】
具体的には、前述の履歴が存在するか否かということは、ブルートゥース通信部６１０に保存された履歴情報に基づいて判断することができる。ここで、該履歴情報は、前述の連結情報にもなる。
【０１７８】
例えば、現在時点以前、モバイルフォン４５１が、ディスプレイ装置６００に適法にブルートゥース連結されていたことがある場合、ブルートゥース通信部６１０は、ブルートゥースモジュール６１１及びブルートゥースプロセッサ６１３それぞれに、モバイルフォン４５１に対応する連結情報を保存する。ディスプレイ装置６００がパワーオフ状態にある現在時点において、ブルートゥース通信部６１０、具体的には、ブルートゥースモジュール６１１において、ブルートゥース連結要請８０１が受信されれば、ブルートゥースモジュール６１１は、自主的に保存している履歴情報に、モバイルフォン４５１に対応する連結情報が存在するか否かということを判断することができる。具体的には、ブルートゥースモジュール６１１は、ブルートゥース連結要請８０１を伝送したモバイルフォン４５１の連結情報（例えば、ブルートゥースＭＡＣアドレス）と同一情報が、内部に保存されているか否かということを判断し、同一情報が存在すれば、モバイルフォン４５１に、ブルートゥース連結要請の受諾を知らせる応答を伝送することができる。
【０１７９】
現在時点において、ディスプレイ装置６００は、パワーオフ状態であり、ディスプレイ４４０の画面は、スクリーンオフ画面８３０状態にあるとする。ディスプレイ装置６００がパワーオフ状態で受信されるブルートゥース連結要請８０１に基づき、ブルートゥース通信部６１０は、ディスプレイ装置が、バックグラウンドパワーオンになるように動作することができる。そして、ブルートゥース通信部６１０は、前記バックグラウンドパワーオンに対応する理由（reason）を、制御部に伝送することができる。ここで、ディスプレイ装置６００が、バックグラウンドパワーオンになるようにするために、ブルートゥースモジュール６１１は、制御部４２０をウェークアップさせるための制御信号を制御部４２０で伝送することができる。
【０１８０】
具体的には、ブルートゥース通信部６１０、具体的には、ブルートゥースモジュール６１１は、ブルートゥース連結要請８０１に対応し、前述のディスプレイ装置６００と、外部機器であるモバイルフォン４５１とのブルートゥース連結を行っていた履歴が存在するか否かということを判断する。そして、前記判断結果により、ディスプレイ装置６００がバックグラウンドパワーオンになるように動作することができる。具体的には、ブルートゥース通信部６１０は、ブルートゥース連結要請８０１に対応し、モバイルフォン４５１に対応する連結情報が内部に保存されているか否かということを判断する。
【０１８１】
また、ブルートゥースモジュール６１１は、ブルートゥース連結要請８０１に対応し、オーディオ伝送のためのブルートゥース連結を行っていた履歴が存在するか否かということを判断することもできるのである。そして、オーディオ伝送のためのブルートゥース連結を行っていた履歴が存在するか否かということにより、ディスプレイ装置６００がバックグラウンドパワーオンになるように動作することができる。
【０１８２】
具体的には、モバイルフォン４５１に対応する連結情報が保存されていれば、ブルートゥースモジュール６１１は、ディスプレイ装置がバックグラウンドパワーオンになるように、制御部４２０をウェークアップさせるための制御信号を制御部４２０で伝送することができる。制御部４２０は、ウェークアップされた後、ディスプレイ装置６００をバックグラウンドパワーオン（または、バックグラウンドブート８０３）になるように、ディスプレイ装置４００を制御することができる。バックグラウンドパワーオンになれば、ディスプレイ４４０は、スクリーンオフ画面８４０にも維持される。
【０１８３】
制御部４２０をウェークアップさせるための制御信号は、パルス（pulse）信号８０２としても形成される。該パルス信号は、以下において、図９を参照して説明する。
【０１８４】
図９は、ディスプレイ装置において、内部において生成されて伝送されるパルス信号を示す図面である。
【０１８５】
図９を参照すれば、ブルートゥースモジュール６１１が生成して制御部４２０で伝送するパルス信号８０２は、ライジングエッジ（rising edge）またはフォーリングエッジ（falling edge）のうち少なくとも１つの個数により、情報内容が異なるようにも形成される。例えば、ブルートゥースモジュール６１１が生成して伝送するパルス信号８０２は、パワーオフ状態のディスプレイ装置が、パワーオン状態に遷移されるように、制御部４２０をウェークアップさせるための信号である。パルス信号８０２のフォーリングエッジの個数により、制御部４２０をウェークアップさせる理由またはブート理由（boot reason）が異なりうる。本願において、制御部４２０がウェークアップされれば、ディスプレイ装置６００がパワーオン状態のために起動が進められることになるので、制御部４２０をウェークアップさせる理由は、ブート理由と同一でもある。
【０１８６】
例えば、パルス信号８０２の最初フォーリングエッジ９０１は、リモートコントロール装置（図示せず）の電源ボタンに対応するブート理由９１１に対応し、パルス信号８０２の２番目フォーリングエッジ９０２は、ディスプレイ装置６００の電源ボタンに対応するブート理由９１２に対応することができ、パルス信号８０２の３番目フォーリングエッジ９０３は、チャネルアップ要請またはチャネルダウン要請によるブート理由９１３に対応しうる。続けて、パルス信号８０２の６番目フォーリングエッジ９０６は、外部機器から、ブルートゥース通信連結を要請することによるブート理由９１６に対応しうる。類似して、４番目フォーリング９０４エッジ及び５番目フォーリングエッジ９０５は、それぞれブート理由９１４及びブート理由９１５に対応しうる。
【０１８７】
例えば、１つのフォーリングエッジのみを含むパルス信号８０２は、ディスプレイ装置６００を遠隔で制御するためのリモートコントロール装置（図示せず）の電源ボタンが入力されて起動が必要であるという意味を有することができる。他の例として、６個のフォーリングエッジを含むパルス信号８０２は、外部機器から、ブルートゥース通信連結要請が受信され、外部機器とブルートゥース通信連結を行うために起動が必要であるという意味を有することができる。
【０１８８】
図８を参照すれば、ブルートゥースモジュール６１１は、ブルートゥース連結要請８０１に対応するパルス信号、例えば、ライジングエッジを６個含むパルス信号８０２を制御部４２０に伝送し、伝送されたパルス信号に基づき、制御部４２０がウェークアップされもする。
【０１８９】
制御部４２０がウェークアップされる以前には、ディスプレイ装置６００は、ＬＰＭモードにあり、制御部４２０がウェークアップされれば、ディスプレイ装置６００は、ＨＣＩモードにもなる。該ＨＣＩモードに遷移されることにより、ブルートゥースプロセッサ６１３に電源が供給され、ブルートゥースプロセッサ６１３は、動作を始めることになる。
【０１９０】
そして、ブルートゥース通信部６１０は、バックグラウンドパワーオンに対応する理由（具体的には、前述の「ブート理由」）を制御部４２０で伝送することができる。それにより、制御部４２０は、前述の理由に基づき、外部機器であるモバイルフォン４５１とのブルートゥース連結のための連結情報を獲得し、モバイルフォン４５１とのブルートゥース連結を行うことができる。
【０１９１】
具体的には、ブルートゥースプロセッサ６１３は、パワーオン理由（power＿on＿reason）８０４をブルートゥースモジュール６１１にクエリし、ブルートゥースモジュール６１１は、前記クエリに応答し、ブート理由（boot reason）８０５をブルートゥースプロセッサ６１３で伝送することができる。ここで、ブルートゥースプロセッサ６１３は、制作者特定コマンド（ＶＳＣ：vendor specific command）を利用し、パワーオン理由８０４をブルートゥースモジュール６１１にクエリすることができる。
【０１９２】
また、ブルートゥースモジュール６１１は、ブルートゥース連結要請８０１を送信する外部機器、具体的には、モバイルフォン４５１のブルートゥース連結のための情報、例えば、モバイルフォン４５１のブルートゥースアドレス（ＢＴ Ａｄｄｒ：Bluetooth address）８０６）及び／またはブルートゥースＭＡＣアドレス（ＢＴ ＭＡＣ address）などを伝送することができる。ここで、ブート理由８０５とブルートゥース連結要請８０１とを送信するモバイルフォン４５１のブルートゥース連結のための情報（例えば、ブルートゥースアドレス８０６）は、ブルートゥース連結要請８０１が受信されるとき、同時にまたは後続し、ブルートゥースモジュール６１１に受信されうる。
【０１９３】
そして、ブルートゥースプロセッサ６１３は、獲得されたブート理由８０５を制御部４２０に伝達することができる。制御部４２０は、伝達されたバックグラウンドパワーオン理由、具体的には、ブート理由８０５に基づき、外部機器であるモバイルフォン４５１とのブルートゥース連結を行うことができる。具体的には、ブート理由８０５は、オーディオ伝送のためのブルートゥース連結のために起動が必要であるという理由を含むので、制御部４２０は、獲得されたブート理由８０５に基づき、ブルートゥース連結のための動作を遂行することになる。例えば、制御部４２０は、獲得されたブート理由８０５に基づき、ブルートゥースモジュール６１１を介し、モバイルフォン４５１に接続し、モバイルフォン４５１とディスプレイ装置６００とのブルートゥース連結を完了する。現在時点以前、ディスプレイ装置６００と外部機器４５０とのブルートゥース連結のための適法な認証手続きが遂行され、適法にブルートゥース連結が完了した場合が存在するので、制御部４２０は、ブルートゥース連結のための認証手続きを省略することができる。例えば、制御部４２０は、モバイルフォン４５１に対するブルートゥース認証なしに、即座にブルートゥース連結を完了することができる。
【０１９４】
ここで、前述のブルートゥース連結は、オーディオ伝送、例えば、サウンドミラーリングのためのものであるので、制御部４２０は、自動的にサウンドミラーリングを行わせることができる。それにより、ディスプレイ装置６００のディスプレイ４４０は、サウンドミラーリングに対応するメニュー画面を含むスクリーンオン画面８５０を出力することができる。
【０１９５】
また、ブルートゥース連結を行っていた履歴を、ディスプレイ装置６００と適法に無線連結が完了してペアリングされていた履歴に拡張することができる。例えば、例示された実施形態によるディスプレイ装置６００は、外部機器とのオーディオ伝送のための無線連結によるペアリング、例えば、Ｗｉ−Ｆｉ連結によるペアリングを行っていた履歴が存在すれば、ディスプレイ装置６００のブルートゥースモジュール６１１は、外部機器に、ブルートゥース連結要請８０１の受諾を知らせる応答を伝送し、制御部４２０がブルートゥース連結が必要な状態にウェークアップされるように動作することができるのである。
【０１９６】
前述のように、例示された実施形態において、ディスプレイ装置６００がパワーオフ状態であるとしても、ブルートゥース通信部６１０は、モバイルフォン４５１から、ブルートゥース連結要請（Ａ２ＤＰ connection request）を受信すれば、それを無視処理せず、ブルートゥース連結のための動作を遂行することになる。従って、ユーザは、ディスプレイ装置６００がパワーオフ状態にあるとしても、モバイルフォン４５１を利用し、ディスプレイ装置６００を介するサウンドミラーリングサービスを、迅速であって便利に利用することができることになる。
【０１９７】
図１０は、例示された実施形態で遂行されるブルートゥース連結動作についてさらに詳細に説明するための図面である。図１０に図示された構成において、図９と同一構成は、同一図面記号を利用して図示した。
【０１９８】
具体的には、図１０においては、例示された実施形態によるディスプレイ装置６００は、外部機器４５０とブルートゥースネットワークを介し、オーディオ伝送のための通信を行うことができる。ここで、外部機器４５０は、前述のモバイルフォン４５１を含んでもよい。
【０１９９】
図１０で言及される現在時点は、図９におけるところと同一に、ブルートゥース連結要請８０１が受信される時点に対応しうる。
【０２００】
図１０を参照すれば、現在時点以前、外部機器４５０とディスプレイ装置６００は、適法なブルートゥース連結が遂行される（Ｓ１００１）。例えば、現在時点以前、外部機器４５０とディスプレイ装置６００は、適法にペアリングされていて、ブルートゥース連結が連結解除された（Ｓ１００２）履歴がある。
【０２０１】
ディスプレイ装置６００は、Ｓ１００１におけるブルートゥース連結に対応する履歴情報が、ブルートゥースモジュール６１１及びブルートゥースプロセッサ６１３それぞれに保存されるように制御することができる（Ｓ１００３）。
【０２０２】
後続時点において、ディスプレイ装置６００は、パワーオフ状態に進み入ることができる（Ｓ１００４）。ディスプレイ装置６００がパワーオフ状態に進み入る以前、ディスプレイ装置６００は、パワーオンになっている状態であるので、ＨＣＩモード１０２１で動作することができる。
【０２０３】
現在時点において、ディスプレイ装置６００、具体的には、ブルートゥースモジュール６１１が、外部機器４５０からブルートゥース連結要請８０１を受信することができる（Ｓ１００５）。
【０２０４】
ディスプレイ装置６００、具体的には、ブルートゥースモジュール６１１は、ブルートゥース連結要請８０１に応答すべきか否かということに係わるフィルタリング動作（具体的には、図８で説明されたディスプレイ装置６００と、外部機器であるモバイルフォン４５１とのブルートゥース連結を行っていた履歴が存在するか否かということを判断する動作）を遂行することができる（Ｓ１００６）。
【０２０５】
そして、ブルートゥースモジュール６１１は、Ｓ１００６動作の遂行結果により、モバイルフォン４５１に、ブルートゥース連結要請８０１の受諾を知らせる応答を伝送することができる。そして、ブルートゥースモジュール６１１は、Ｓ１００６動作の遂行結果により、制御部４２０をウェークアップさせる（Ｓ１００７）。Ｓ１００７動作は、図８で説明されたウェークアップ動作である「制御部４２０をウェークアップさせるためのパルス信号８０２を制御部４２０に伝送し、それにより、制御部４２０がウェークアップされる動作」に対応するので、詳細説明は、省略する。
【０２０６】
続けて、ディスプレイ装置６００、具体的には、制御部４２０は、Ｓ１０１１ブロックに図示された動作が遂行されるように制御することができる。
【０２０７】
具体的には、ディスプレイ装置６００、具体的には、制御部４２０は、バックグラウンドパワーオン（または、バックグラウンドブート）を遂行する（Ｓ１０１０）。Ｓ１０１０におけるバックグラウンドパワーオンは、図８で詳細に説明されたバックグラウンドブート８０３動作に対応するので、詳細説明は、省略する。
【０２０８】
また、ディスプレイ装置６００は、バックグラウンドパワーオン動作を遂行すると共に、図示されたＳ１００８動作及びＳ１００９動作を遂行することができる。
【０２０９】
例示された実施形態において、ブルートゥースモジュール６１１は、ＬＰＭモードにおいて、ブルートゥース連結と係わる動作を遂行することができる。そして、ブルートゥースプロセッサ６１３は、ＨＣＩモードにおいて、ブルートゥース連結と係わる動作を遂行することができる。
【０２１０】
具体的には、ブルートゥースモジュール６１１は、制御部をウェークアップさせ、外部機器４５０とのブルートゥース通信を連結解除する（Ｓ１００８）。そして、ブルートゥースプロセッサ６１３は、外部機器４５０とのブルートゥース通信を連結（connect）するための動作を遂行することができる。ここで、Ｓ１００８動作及びＳ１００９動作は、制御部４２０の制御によっても行われる。
【０２１１】
具体的には、ディスプレイ装置６００の動作モードがＬＰＭモード１０２２からＨＣＩモード１０２３に変更される場合、変更される時点を基準に、以前時点におけるブルートゥース通信またはブルートゥース連結は、維持されえない。従って、ディスプレイ装置６００がＬＰＭモード１０２２であるとき、ブルートゥースモジュール６１１が行っていたブルートゥース通信またはブルートゥース連結のための動作は終了することになる。例えば、ブルートゥースモジュール６１１を介する通信連結は、終了される。
【０２１２】
そして、ディスプレイ装置６００がＨＣＩモード１０２３に変更されることにより、ブルートゥースプロセッサ６１３を介するブルートゥース通信またはブルートゥース連結のための動作が開始される。
【０２１３】
また、制御部４２０は、前述の連結解除動作（Ｓ１００８）及び再連結動作（Ｓ１００９）が遂行されることを知らせる情報を外部機器４５０で伝送することができる（図示せず）。
【０２１４】
具体的には、ディスプレイ装置６００の制御部４２０は、外部機器４５０に、前記ブルートゥース通信が連結解除された（Ｓ１００８）後、再連結（reconnect）する（Ｓ１０１０）ための動作が遂行されることを知らせる情報を伝送することができる。
【０２１５】
続けて、ディスプレイ装置６００の制御部４２０は、パワーオン理由８０５と、外部機器４５０とのブルートゥース連結のための接続情報（「外部機器のアドレス」）８０６を獲得することができる（Ｓ１０１２）。Ｓ１０１２動作は、図８で説明されたブート理由８０５及び接続情報８０６の獲得動作に対応するので、詳細説明は、省略する。
【０２１６】
それにより、制御部４２０が、外部機器４５０とディスプレイ装置６００とのブルートゥース連結を遂行して完了することができる（Ｓ１０１３）。
【０２１７】
続けて、ディスプレイ装置６００は、ブルートゥース連結を介するサウンドミラーリングを行うことができる（Ｓ１０１４）。
【０２１８】
具体的には、ディスプレイ装置６００がパワーオンになっている状態であるので、ディスプレイ装置６００は、ＨＣＩモードで動作する。制御部４２０は、ブルートゥース連結のための接続情報８０６として、ブルートゥースＭＡＣアドレス（ＢＴ ＭＡＣ address）を獲得することができる。制御部４２０の制御により、ブルートゥース通信部６１０は、ブルートゥースＭＡＣアドレス（ＢＴ ＭＡＣ address）により、外部機器４５０に接続し、ディスプレイ装置６００と外部機器４５０とのブルートゥース連結が完了することになる。ディスプレイ装置６００と外部機器４５０とのブルートゥース連結を「ＢＴ Ａ２ＤＰ連結」と称することができる。それにより、ディスプレイ装置６００のディスプレイは、スクリーンオン状態になり、所定画面を出力し、ディスプレイ装置６００は、サウンドミラーリングサービスを始める。具体的には、ディスプレイ装置６００の制御部４２０は、サウンドミラーリングに対応するメニュー画面１０３４を含む画面８５０がディスプレイされるように制御することができる。
【０２１９】
また、ディスプレイ装置６００と外部機器４５０とのブルートゥース連結（ＢＴ Ａ２ＤＰ連結）が完了すれば、自動的にサウンドミラーリングによる音源が再生されうるように、制御部４２０は、外部機器４５０に、ＡＶＲＣＰ（audio/video remote control profile）による音楽再生コマンドを送信することができる。ここで、ＡＶＲＣＰは、ブルートゥースＡ２ＤＰによって伝送されるオーディオ（音源）を遠隔から調節するために利用されるプロファイルであり、音源の自動再生、自動曲送り、ボリューム調節などの機能を遠隔から制御するために利用されるプロファイルである。
【０２２０】
外部機器４５０は、ディスプレイ装置６００から送信された音源再生コメントに応答し、ディスプレイ装置６００に、サウンドミラーリング対象になるオーディオデータを伝送することができる。それにより、ディスプレイ装置６００は、音源を再生することができる。
【０２２１】
図１１は、ディスプレイ装置と外部機器とのブルートゥース連結動作が遂行される間、外部機器に出力されうるＵＩ画面を示す図面である。
【０２２２】
図４に図示された外部機器４５０は、図４に図示された構成以外に、ディスプレイ（図示せず）をさらに含んでもよい。外部機器４５０に含まれるディスプレイ（図示せず）は、例示された実施形態によるディスプレイ装置のディスプレイ４４０に対応するので、詳細説明は、省略する。
【０２２３】
外部機器４５０は、ディスプレイ装置６００から外部機器４５０に、前記ブルートゥース通信が連結解除された（Ｓ１００８）後、再連結する（Ｓ１０１０）ための動作が遂行されることを知らせる情報を伝送されうる。それにより、外部機器４５０は、伝送受けた情報に対応するＵＩ画面を出力することができる。
【０２２４】
図１１を参照すれば、経時的に、ｔ１，ｔ２，ｔ３及びｔ４時点が連続するとき、ｔ１，ｔ２，ｔ３及びｔ４時点それぞれにおいて外部機器４５０において出力されるＵＩ画面１１１０、ＵＩ画面１１２０、ＵＩ画面１１３０及びＵＩ画面１１４０が図示される。
【０２２５】
図１１を参照すれば、外部機器４５０は、ｔ１時点において、ディスプレイ装置６００とのブルートゥース連結のためのＵＩ画面１１１０を出力することができる。ＵＩ画面１１１０は、ブルートゥース連結のために選択されたディスプレイ装置を示すメニュー１１１２、及び連結状態を示すメニュー１１１３を含んでもよい。ユーザが、外部機器４５０とディスプレイ装置６００とのブルートゥース連結を進めるためにキー１１１１を操作し、ブルートゥース連結をオンにすれば、外部機器４５０は、ユーザ入力に対応し、ブルートゥース連結要請８０１をディスプレイ装置６００で伝送することになる。
【０２２６】
ディスプレイ装置６００とのブルートゥース連結のためのユーザ入力が受信された時点においては、外部機器４５０とディスプレイ装置６００とのブルートゥース連結が行われない。従って、外部機器４５０は、メニュー１１１３上に、ブルートゥース連結が行われていないことを示す情報である「連結されていない（not connected）」を出力することができる。
【０２２７】
続けて、ｔ２時点は、外部機器４５０がディスプレイ装置６００からブルートゥース連結要請８０１を受諾する応答を受信した時点に対応する。ブルートゥース連結要請８０１を受諾する応答を受信したので、外部機器４５０は、ディスプレイ装置６００とのブルートゥース連結が行われると認識し、それにより、外部機器４５０は、メニュー１１２３上に、ブルートゥース連結が行われることを示す情報である「連結されている（connected）」を出力することができる。
【０２２８】
また、ｔ３時点は、図８で説明されたＳ１０１１ブロック動作が遂行される時点に対応しうる。Ｓ１０１１ブロック動作を参照すれば、ＬＰＭにおけるブルートゥースモジュール６１１を介するブルートゥース連結は解除され（Ｓ１００８）、ＨＣＩモードにおけるブルートゥース連結が進められる（Ｓ１００９）。従って、一時的に、ブルートゥース連結の断絶が発生しうる。ディスプレイ装置６００は、一時的に、ブルートゥース連結が断絶されることにより、外部機器４５０において、動作エラーと認識しないように、Ｓ１００８動作及びＳ１００９動作によるブルートゥース連結解除及び再連結を知らせる情報を伝送することができる。それにより、外部機器４５０は、Ｓ１００８動作及びＳ１００９動作によるブルートゥース連結解除及び再連結を知らせる情報をメニュー１１３３上に出力することができる。
【０２２９】
ｔ４時点は、外部機器４５０とディスプレイ装置６００とのブルートゥース連結が完了された（Ｓ１０１３）時点に対応しうる。従って、外部機器４５０は、メニュー１１４３上に、ブルートゥース連結が完了したことを示す情報である「連結されている（connected）」を出力することができる。
【０２３０】
図１２は、本開示の一実施形態によるディスプレイ装置の制御方法を示すフローチャートである。また、図１２は、図１ないし図１１を参照して説明された例示された実施形態によるディスプレイ装置で遂行される動作のフローを示す図面である。
【０２３１】
例示された実施形態によるディスプレイ装置の制御方法１２００は、図１ないし図１１を参照して説明された例示された実施形態によるディスプレイ装置１００，４００，６００または７００を介しても遂行され、ディスプレイ装置１００，４００，６００または７００で遂行される動作は、ディスプレイ装置の制御方法１２００に含まれる段階動作に対応しうる。従って、ディスプレイ装置の制御方法１２００についての説明におき、図１ないし図１１と重複する説明は、省略する。また、図１２に図示された各段階の遂行主体として、図６及び図８に図示されたディスプレイ装置６００を参照して説明することにする。
【０２３２】
ディスプレイ装置の制御方法１２００は、ディスプレイ４４０、スピーカ４４５、ブルートゥース通信を行う通信部４１０、１以上のインストラクションを保存するメモリ４３０、及び前記１以上のインストラクションのうち少なくとも一つを遂行するプロセッサを少なくとも一つ含む制御部４２０を含むディスプレイ装置６００を制御する方法である。
【０２３３】
図１２を参照すれば、ディスプレイ装置の制御方法１２００は、ディスプレイ装置６００がパワーオフ状態であるとき、通信部４１０、具体的には、ブルートゥース通信部６１０において、外部機器４５０からオーディオ伝送のためのブルートゥース連結要請８０１を受信する（Ｓ１２１０）。具体的には、モバイルフォン４５１は、ディスプレイ装置６００に、オーディオ伝送のためのブルートゥース連結要請（Ａ２ＤＰ connection request）８０１を伝送することができる。それにより、ディスプレイ装置６００の通信部４１０は、ブルートゥース連結要請８０１を受信する。Ｓ１２１０段階の動作は、ブルートゥース通信部６１０のブルートゥースモジュール６１１で遂行されうる。
【０２３４】
そして、ブルートゥース連結要請８０１に対応し、通信部４１０、具体的には、ブルートゥース通信部６１０のブルートゥースモジュール６１１が外部機器４５０に、ブルートゥース連結要請８０１の受諾を知らせる応答を伝送する（Ｓ１２２０）。Ｓ１２１０段階の動作は、ブルートゥース通信部６１０のブルートゥースモジュール６１１で遂行されうる。
【０２３５】
続けて、通信部４１０、具体的には、ブルートゥース通信部６１０のブルートゥースモジュール６１１は、ブルートゥース連結要請８０１に対応し、制御部４２０がブルートゥース連結が必要な状態にウェークアップされるように制御する（Ｓ１２３０）。Ｓ１２１０段階の動作は、ブルートゥース通信部６１０のブルートゥースモジュール６１１で遂行されうる。
【０２３６】
図１３は、本開示の他の実施形態によるディスプレイ装置の制御方法を示すフローチャートである。また、図１３は、図１ないし図１１を参照して説明された例示された実施形態によるディスプレイ装置で遂行される動作のフローを示す図面である。
【０２３７】
また、例示された実施形態によるディスプレイ装置の制御方法１３００は、図１ないし図１１を参照して説明された例示された実施形態によるディスプレイ装置１００，４００，６００または７００を介しても遂行され、ディスプレイ装置１００，４００，６００または７００で遂行される動作は、ディスプレイ装置の制御方法１３００に含まれる段階動作に対応しうる。従って、ディスプレイ装置の制御方法１３００についての説明におき、図１ないし図１１と重複する説明は、省略する。また、図１３に図示された各段階の遂行主体として、図６、図８及び図１０に図示されたディスプレイ装置６００及びその詳細動作を参照して説明することにする。
【０２３８】
また、ディスプレイ装置の制御方法１３００は、図１２で説明されたディスプレイ装置の制御方法１２００をさらに詳細化したものである。従って、図１３のディスプレイ装置の制御方法１３００におき、ディスプレイ装置の制御方法１２００と同一の構成は、同一図面記号を利用して図示した。また、Ｓ１３３０段階の動作は、図１２のＳ１２３０段階の動作に対応しうる。
【０２３９】
図１３のＳ１２２０ブロックを参照すれば、ディスプレイ装置の制御方法１３００は、ディスプレイ装置６００と、外部機器であるモバイルフォン４５１とのブルートゥース連結を行っていた履歴が存在すれば（Ｓ１３１５）、モバイルフォン４５１に、ブルートゥース連結要請８０１の受諾を知らせる応答を伝送することができる（Ｓ１３２０）。
【０２４０】
続けて、通信部４１０、具体的には、ブルートゥース通信部６１０のブルートゥースモジュール６１１は、ブルートゥース連結要請８０１に対応し、制御部４２０がブルートゥース連結が必要な状態にウェークアップされるように制御する（Ｓ１３３０）。具体的には、ブルートゥースモジュール６１１は、制御部４２０をウェークアップさせる。それにより、ウェークアップされた制御部４２０は、バックグラウンドパワーオン（または、バックグラウンドブート）を遂行する。
【０２４１】
Ｓ１３３０段階において、ウェークアップ動作は、図１０のＳ１００７動作に対応し、バックグラウンドパワーオン動作は、図１０のＳ１０１０動作に対応する。従って、Ｓ１３３０段階の動作に係わる詳細説明は、省略する。
【０２４２】
続けて、ディスプレイ装置６００の制御部４２０は、パワーオン理由８０５と、外部機器４５０とのブルートゥース連結のための接続情報（「外部機器のアドレス」）８０６を獲得することができる（Ｓ１３４０）。Ｓ１３４０段階は、図１０のＳ１０１２動作に対応するので、Ｓ１３４０段階の動作に係わる詳細説明は、省略する。
【０２４３】
そして、制御部４２０が、外部機器４５０とディスプレイ装置６００とのブルートゥース連結を遂行して完了することができる（Ｓ１３５０）。Ｓ１３５０段階は、図１０のＳ１０１３動作に対応するので、Ｓ１３５０段階の動作に係わる詳細説明は、省略する。
【０２４４】
続けて、ディスプレイ装置６００は、ブルートゥース連結を介するサウンドミラーリングを行うことができる（Ｓ１３６０）。Ｓ１３６０段階は、図１０のＳ１０１４動作に対応するので、Ｓ１３６０段階の動作に係わる詳細説明は、省略する。
【０２４５】
本開示の一実施形態、または他の実施形態によるディスプレイ装置の制御方法は、多様なコンピュータ手段を介しても遂行されるプログラム命令形態に具現され、コンピュータ読み取り可能な媒体にも記録される。また、例示された実施形態は、前述のディスプレイ装置のおすすめチャネルリスト提供方法を実行する命令語を含む１以上のプログラムが記録されたコンピュータで読み取り可能な記録媒体でもっても形成される。
【０２４６】
前記コンピュータで読み取り可能な媒体は、プログラム命令、データファイル、データ構造などを、単独または組み合わせて含んでもよい。前記媒体に記録されるプログラム命令は、本発明のために特別に設計されて構成されたものでもあり、コンピュータソフトウェア当業者に公知されて使用可能なものでもある。該コンピュータ読み取り可能な記録媒体の例には、ハードディスク、フロッピィーディスク及び磁気テープのような磁気媒体（magnetic media）；ＣＤ−ＲＯＭ（compact disc read only memory）、ＤＶＤ（digital versatile disc）のような光記録媒体（optical media）、フロプティカルディスク（floptical disk）のような磁気・光媒体（magneto-optical media）；及びＲＯＭ、ＲＡＭ、フラッシュメモリのようなプログラム命令を保存して遂行するように特別に構成されたハードウェア装置が含まれる。該プログラム命令の例には、コンパイラによって作われるような機械語コードだけではなく、インタープリタなどを使用し、コンピュータによって実行されうる高級言語コードを含む。
【０２４７】
また、前述の本開示の一実施形態、または他の実施形態によるディスプレイ装置の制御方法は、多重言語で構成された文章を獲得する動作と、多重言語翻訳モデルを利用し、前記多重言語で構成された文章に含まれる単語それぞれに対応するベクトル段を獲得し、前記獲得されたベクトル値を目標言語に対応するベクトル値に変換し、前記変換されたベクトル値に基づき、前記目標言語で構成された文章を獲得する動作と、を遂行させるプログラムが保存された記録媒体を含むコンピュータプログラム製品によっても具現される。
【０２４８】
以上において、本実施形態について詳細に説明されたが、本発明の権利範囲は、それらに限定されるものではなく、特許請求の範囲で定義されている本発明の基本概念を利用した当業者のさまざまな変形及び改良形態も、本発明の権利範囲に属するものである。
【符号の説明】
【０２４９】
410  通信部
420  制御部
430  メモリ
440  ディスプレイ
445  スピーカ
460  通信部
470  制御部
480  メモリ
610  ブルートゥース通信部
620  内部メモリ
630  無線ＬＡＮモジュール
710  ビデオ処理部
715  ディスプレイ部
720  オーディオ処理部
725  オーディオ出力部
726  スピーカ
727  ヘッドホン
730  電源部
740  チューナ部
750  通信部
751  無線ＬＡＮ
752  ブルートゥース通信部
753  有線イーサネット
760  感知部
761  マイク
762  カメラ部
763  光受信部
770  入出力部
772  コンポーネント
780  制御部
790  メモリ
【図１】
2021536079.tif 000003
【図２ａ】
2021536079.tif 000004
【図２ｂ】
2021536079.tif 000005
【図３】
2021536079.tif 000006
【図４】
2021536079.tif 000007
【図５】
2021536079.tif 000008
【図６】
2021536079.tif 000009
【図７】
2021536079.tif 000010
【図８】
2021536079.tif 000011
【図９】
2021536079.tif 000012
【図１０】
2021536079.tif 000013
【図１１】
2021536079.tif 000014
【図１２】
2021536079.tif 000015
【図１３】
2021536079.tif 000016
【国際調査報告】
2021536079.tif 000017
2021536079.tif 000018